(57)【要約】      （修正有）【課題】効率的に通信を行なうことができる端末装置を提供する。【解決手段】端末装置は、上位層の信号を介して、ＤＲＸに関する第１の設定を示す第１の情報を受信する受信部と、ＤＲＸオペレーションを行なう上位層処理部と、を備える。上位層処理部は、モニタリングする物理制御チャネルに対するｎｕｍｅｒｏｌｏｇｙに基づいて、ＤＲＸサイクルを決定する。ＤＲＸサイクルは、スロット長に基づき、スロット長は、シンボル長、ＣＰ長および１つのスロットに割り当てられるシンボルの数に基づき、シンボル長、ＣＰ長および１つのスロットに割り当てられるシンボルの数は、ｎｕｍｅｒｏｌｏｇｙに対応する。【選択図】図３
2020010074.tif 000002
【特許請求の範囲】
【請求項１】
上位層の信号を介して、ＤＲＸ（Ｄｉｓｃｏｎｔｉｎｕｏｕｓ  Ｒｅｃｅｐｔｉｏｎ）に関する第１の設定を示す第１の情報を受信する受信部と、
ＤＲＸオペレーションを行なう上位層処理部と、を備え、
前記上位層処理部は、
モニタリングする物理制御チャネルに対するｎｕｍｅｒｏｌｏｇｙに基づいて、ＤＲＸサイクルを決定する
端末装置。
【請求項２】
前記ＤＲＸサイクルは、スロット長に基づき、
前記スロット長は、シンボル長およびＣＰ（Ｃｙｃｌｉｃ  Ｐｒｅｆｉｘ）長、および、１つのスロットに割り当てられるシンボルの数に基づき、
前記シンボル長および前記ＣＰ（Ｃｙｃｌｉｃ  Ｐｒｅｆｉｘ）長、および、前記１つのスロットに割り当てられるシンボルの数は、前記ｎｕｍｅｒｏｌｏｇｙに対応する
請求項１記載の端末装置。
【請求項３】
前記ｎｕｍｅｒｏｌｏｇｙは、前記物理制御チャネルに関する第２の設定を示す第２の情報に基づく
請求項１記載の端末装置。
【請求項４】
前記ｎｕｍｅｒｏｌｏｇｙは、前記物理制御チャネルをモニタするサービングセルに関する設定に基づく
請求項１記載の端末装置。
【請求項５】
前記ｎｕｍｅｒｏｌｏｇｙは、前記物理制御チャネルをモニタするサービングセルのキャリア周波数に対応する
請求項１記載の端末装置。
【請求項６】
上位層の信号を介して、ＤＲＸ（Ｄｉｓｃｏｎｔｉｎｕｏｕｓ  Ｒｅｃｅｐｔｉｏｎ）に関する第１の設定を示す第１の情報を受信するステップと、
ＤＲＸオペレーションを行なうステップと、
モニタリングする物理制御チャネルに対するｎｕｍｅｒｏｌｏｇｙに基づいて、ＤＲＸサイクルを決定するステップと、を含む
方法。
【請求項７】
上位層の信号を介して、ロングＤＲＸ（Ｄｉｓｃｏｎｔｉｎｕｏｕｓ  Ｒｅｃｅｐｔｉｏｎ）サイクルに関する第１の設定およびショートＤＲＸサイクルに関する第２の設定を含む第１の情報を受信する受信部と、
ＤＲＸオペレーションを行なう上位層処理部と、を備え、
前記上位層処理部は、
前記ロングＤＲＸサイクルを、前記第１の設定に基づいて決定し、
前記ショートＤＲＸサイクルを、前記第２の設定に基づいて決定する
端末装置。
【請求項８】
前記第１の設定および前記第２の設定にはそれぞれ、ｎｕｍｅｒｏｌｏｇｙまたはスロット長に関するパラメータが含まれる
請求項７記載の端末装置。
【請求項９】
前記受信部は、
あるサービングセルに対して、ＤＲＸオペレーションの際に、前記ロングＤＲＸサイクル、または、前記ショートＤＲＸを示す第２の情報を受信し、
前記第２の情報に基づいて、物理制御チャネルをモニタする
請求項７記載の端末装置。
【請求項１０】
前記上位層処理部は、
モニタリングする物理制御チャネルのｎｕｍｅｒｏｌｏｇｙに基づいて、前記ロングＤＲＸサイクルを用いるか、前記ショートＤＲＸサイクルを用いるかを決定する
請求項７記載の端末装置。
【請求項１１】
前記上位層処理部は、
サービングセルのｎｕｍｅｒｏｌｏｇｙに基づいて、前記ロングＤＲＸサイクルを用いるか、前記ショートＤＲＸサイクルを用いるかを決定する
請求項７記載の端末装置。
【請求項１２】
上位層の信号を介して、ロングＤＲＸ（Ｄｉｓｃｏｎｔｉｎｕｏｕｓ  Ｒｅｃｅｐｔｉｏｎ）サイクルに関する第１の設定およびショートＤＲＸサイクルに関する第２の設定を含む第１の情報を受信するステップと、
ＤＲＸオペレーションを行なうステップと、
前記ロングＤＲＸサイクルを、前記第１の設定に基づいて決定するステップと、
前記ショートＤＲＸサイクルを、前記第２の設定に基づいて決定するステップと、を含む
方法。
【請求項１３】
上位層の信号を介して、ショートＤＲＸ（Ｄｉｓｃｏｎｔｉｎｕｏｕｓ  Ｒｅｃｅｐｔｉｏｎ）に関する設定を受信する受信部と、
前記設定に基づいて、物理制御チャネルをモニタするショートＤＲＸサイクルを決定する上位層処理部と、を備え、
前記上位層処理部は、
第１のｎｕｍｅｒｏｌｏｇｙに対応するショートＤＲＸに関する第１の設定および第２のｎｕｍｅｒｏｌｏｇｙに対応するショートＤＲＸに関する第２の設定が設定されたとすれば、
前記第１のｎｕｍｅｒｏｌｏｇｙに対応する第１の物理制御チャネルのモニタリングに対して、前記第１の設定に基づくショートＤＲＸサイクルを適用し、
前記第２のｎｕｍｅｒｏｌｏｇｙに対応する第２の物理制御チャネルのモニタリングに対して、前記第２の設定に基づくショートＤＲＸサイクルを適用する
端末装置。
【請求項１４】
前記上位層処理部は、
第１のＭＡＣ（Ｍｅｄｉｕｍ  Ａｃｃｅｓｓ  Ｃｏｎｔｒｏｌ）コントロールエレメントが受信されるとすれば、前記第１の物理制御チャネルおよび前記第２の物理制御チャネルのモニタリングに対して同じＤＲＸサイクルを適用する
請求項１３記載の端末装置。
【請求項１５】
上位層の信号を介して、ショートＤＲＸ（Ｄｉｓｃｏｎｔｉｎｕｏｕｓ  Ｒｅｃｅｐｔｉｏｎ）に関する設定を受信するステップと、
前記設定に基づいて、物理制御チャネルをモニタするショートＤＲＸサイクルを決定するステップと、
第１のｎｕｍｅｒｏｌｏｇｙに対応するショートＤＲＸに関する第１の設定および第２のｎｕｍｅｒｏｌｏｇｙに対応するショートＤＲＸに関する第２の設定が設定されたとすれば、
前記第１のｎｕｍｅｒｏｌｏｇｙに対応する第１の物理制御チャネルのモニタリングに対して、前記第１の設定に基づくショートＤＲＸサイクルを適用するステップと、
前記第２のｎｕｍｅｒｏｌｏｇｙに対応する第２の物理制御チャネルのモニタリングに対して、前記第２の設定に基づくショートＤＲＸサイクルを適用するステップと、を含む
方法。
【発明の詳細な説明】
【技術分野】
【０００１】
本発明の実施形態は、効率的な通信を実現する端末装置および方法の技術に関する。
【背景技術】
【０００２】
標準化プロジェクトである３ＧＰＰ（3rd General Partnership Project）において、
ＯＦＤＭ（Orthogonal Frequency Division Multiplexing）通信方式やリソースブロックと呼ばれる所定の周波数・時間単位の柔軟なスケジューリングの採用によって、高速な通信を実現させたＥＵＴＲＡ（Evolved Universal Terrestrial Radio Access）の標準化が行なわれた。なお、ＥＵＴＲＡにおける標準化技術を採用した通信全般をＬＴＥ（Long Term Evolution）通信と称する場合もある。
【０００３】
また、３ＧＰＰでは、より高速なデータ伝送を実現し、ＥＵＴＲＡに対して上位互換性を持つＡ−ＥＵＴＲＡ（AdvancedEUTRA）の検討を行なっている。ＥＵＴＲＡでは、基地局装置がほぼ同一のセル構成（セルサイズ）から成るネットワークを前提とした通信システムであったが、Ａ−ＥＵＴＲＡでは、異なる構成の基地局装置（セル）が同じエリアに混在しているネットワーク（異種無線ネットワーク、ヘテロジニアスネットワーク）を前提とした通信システムが検討されている。
【０００４】
さらに、３ＧＰＰにおいて、ＬＴＥの次の世代の通信規格について検討されている（非特許文献１）。
【先行技術文献】
【非特許文献】
【０００５】
【非特許文献１】”3GPP TR 38.913 v.14.0.0 (2016-10)”, 4th Oct. 2016.
【発明の概要】
【発明が解決しようとする課題】
【０００６】
通信装置（端末装置および／または基地局装置）において、従来の制御では効率的な通信を行なうことができない場合がある。
【０００７】
本発明は上記の点に鑑みてなされたものであり、その目的は、効率的に通信を行なうことができる端末装置および方法を提供することである。
【課題を解決するための手段】
【０００８】
（１）上記の目的を達成するために、本発明は、以下のような手段を講じた。すなわち、本発明の一態様による端末装置は、本発明の一態様による端末装置は、上位層の信号を介して、ＤＲＸ（Ｄｉｓｃｏｎｔｉｎｕｏｕｓ  Ｒｅｃｅｐｔｉｏｎ）に関する第１の設定を示す第１の情報を受信する受信部と、ＤＲＸオペレーションを行なう上位層処理部と、を備え、前記上位層処理部は、モニタリングする物理制御チャネルに対するｎｕｍｅｒｏｌｏｇｙに基づいて、ＤＲＸサイクルを決定する。
【０００９】
（２）また、本発明の一態様による方法は、上位層の信号を介して、ＤＲＸ（Ｄｉｓｃｏｎｔｉｎｕｏｕｓ  Ｒｅｃｅｐｔｉｏｎ）に関する第１の設定を示す第１の情報を受信するステップと、ＤＲＸオペレーションを行なうステップと、モニタリングする物理制御チャネルに対するｎｕｍｅｒｏｌｏｇｙに基づいて、ＤＲＸサイクルを決定するステップと、を含む。
【発明の効果】
【００１０】
この発明によれば、基地局装置と端末装置が通信する無線通信システムにおいて、伝送効率を向上させることができる。
【図面の簡単な説明】
【００１１】
【図１】第１の実施形態に係る基地局装置２のブロック構成の一例を示す図である。
【図２】第１の実施形態に係る端末装置１のブロック構成の一例を示す図である。
【図３】第１の実施形態に係るＤＲＸサイクルの一例を示す図である。
【発明を実施するための形態】
【００１２】
＜第１の実施形態＞
本発明の第１の実施形態について以下に説明する。基地局装置２と端末装置１が、セルにおいて、および／または、キャリアを用いて、通信する通信システムを用いて説明する。なお、基地局装置２は、基地局、基地局装置、ノードＢ、ｅＮＢ（ＥＵＴＲＡＮ  ＮｏｄｅＢ、ｅｖｏｌｖｅｄ  ＮｏｄｅＢ）、ｇＮＢと称されてもよい。端末装置１は、端末、端末装置、移動局、ユーザ装置、ＵＥ（Ｕｓｅｒ  ｅｑｕｉｐｍｅｎｔ）と称されてもよい。
【００１３】
ＮＲ（Ｎｅｘｔ  Ｇｅｎｅｒａｔｉｏｎ  Ｒａｄｉｏ  Ａｃｃｅｓｓ  Ｔｅｃｈｎｏｌｏｇｙ）をサポートしているセルをＮＲセルとも称する。ＮＲセルのキャリアをＮＲキャリアと称する。ＮＲセルのコンポーネントキャリアをＮＲコンポーネントキャリアとも称する。
【００１４】
ＮＲセル、ＮＲキャリア、および／または、ＮＲコンポーネントキャリアでは、時間単位Ｔｓに基づいて、サブフレーム、スロット、ミニスロット、シンボルの長さ（時間長、期間）がそれぞれ規定（定義、設定）されてもよい。ここで、シンボルは、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボル、または、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルであってもよい。なお、ミニスロットは、サブスロットと称されてもよい。ＯＦＤＭは、ＣＰ−ＯＦＤＭ（Ｃｙｃｌｉｃ  Ｐｒｅｆｉｘ−ＯＦＤＭ）と称されてもよい。ＳＣ−ＦＤＭＡは、ＤＦＴ−Ｓ−ＯＦＤＭ（Ｄｉｓｃｒｅｔｅ  Ｆｏｕｒｉｅｒ  Ｔｒａｎｓｆｏｒｍ−Ｓｐｒｅａｄ−ＯＦＤＭ）であってもよい。
【００１５】
時間単位Ｔｓは、あるサブキャリア間隔に対応するシンボルに対するサンプリング周期（サンプリング間隔、サンプリングレート）に相当してもよい。つまり、Ｔｓは、ある期間における時間連続信号に対して、サンプリングを行なう周期であってもよい。ここで、該ある期間の時間連続信号をサンプリングすることによって時間離散信号を得ることができる。該時間離散信号は、サンプル、または、サンプリング信号と称されてもよい。なお、該時間連続信号はアナログ信号と称されてもよい。該時間離散信号はディジタル信号と称されてもよい。Ｔｓは、サブキャリア間隔やサンプリングサイズに因らず、所定の値であってもよい。
【００１６】
該Ｔｓは、該ある期間における時間連続信号に対するサンプリングサイズに基づいて決定されてもよい。つまり、該Ｔｓは、隣接する時間離散信号間の時間間隔と言い換えることができる。ここで、該サンプリングサイズは、サンプリングを行なう数、サンプリングポイント数、または、サンプルサイズ、または、サンプル数と称されてもよい。該サンプリングサイズは、ＦＦＴ（Ｆａｓｔ  Ｆｏｕｒｉｅｒ  Ｔｒａｎｓｆｏｒｍ）サイズおよび／またはＩＦＦＴ（Ｉｎｖｅｒｓｅ  ＦＦＴ）サイズに基づいて決定されてもよい。該サンプリングサイズは、２のべき乗で示されてもよい。なお、該サンプリングサイズに基づいて、利用可能なチャネル帯域幅が決定されてもよい。ここで、該ある期間がサブキャリア間隔に対応する場合には、該ある期間は、サブキャリア間隔の逆数で示されてもよい。該ある期間において、１つ、または、１つよりも多く時間離散信号が生成される場合、該時間離散信号を用いて系列が生成されてもよい。該系列は、時系列信号と称されてもよい。該ある期間は、該時間連続信号に対してはシンボル長と称されてもよい。該ある期間は、該時間離散信号に対してはシンボル期間と称されてもよい。該ある期間は、該時系列信号に対しては系列長と称されてもよい。該ある期間における時間連続信号および／または時間離散信号および／または時系列信号をシンボルとも称する。該シンボルに対して、シンボル間干渉や対応するサブキャリア間干渉を低減するためにガード期間に相当するＣＰ（Ｃｙｃｌｉｃ  Ｐｒｅｆｉｘ）が付与されてもよい。該ＣＰは、該ある期間の、一部の期間の時間連続信号および／または時間離散信号をコピーして用いられてもよい。該ＣＰは、該ある期間の、一部の期間の時間連続信号および／または時間離散信号と同一であってもよい。ＣＰに対する時間長は、時間連続信号に対してはＣＰ長と称されてもよい。ＣＰに対する時間長は、時間離散信号に対してはＣＰ期間と称されてもよい。本実施形態において、シンボル長は、シンボル期間や系列長と同義であってもよい。また、ＣＰ長は、ＣＰ期間と同義であってもよい。
【００１７】
該ある期間におけるサンプル数、つまり、あるシンボルにおけるサンプリングサイズをＮとすると、該シンボル長は、Ｎ×Ｔｓで示されてもよい。また、該ＣＰ長におけるサンプリングサイズをＮＣＰ，ｌとすると、該ＣＰ長は、ＮＣＰ，ｌ×Ｔｓで示されてもよい。該ＣＰ長におけるサンプリングサイズは、シンボル番号によって個別に規定および／または設定されてもよい。以降では、ＣＰを含めたシンボルを単にシンボルと称することがある。つまり、１つのシンボルの長さは、（ＮＣＰ，ｌ＋Ｎ）×Ｔｓとして規定されてもよい。ＮＣＰ，ｌの値は、ＣＰが付与されるシンボルの番号に基づいて決定されてもよい。また、ＮＣＰ，ｌの値は、ＣＰのタイプに基づいて決定されてもよい。例えば、ＣＰのタイプ（種類）には、ＮＣＰ（Ｎｏｒｍａｌ  ＣＰ）と、ＮＣＰよりもＣＰ長が長いＥＣＰ（Ｅｘｔｅｎｄｅｄ  ＣＰ）がある。
【００１８】
チャネル帯域幅は、システム帯域幅、最大送信帯域幅、最大受信帯域幅、最大測定帯域幅、利用可能なサブキャリアの総数に関連付けられてもよい。また、チャネル帯域幅は、オペレーティングバンド毎に規定されてもよい。つまり、オペレーティングバンドに応じて、サポートされているチャネル帯域幅が異なってもよい。例えば、チャネル帯域幅が５種類ある場合、第１のオペレーティングバンドにおいては、第１のチャネル帯域幅から第３のチャネル帯域幅がサポートされてもよく、且つ、第４のチャネル帯域幅と第５のチャネル帯域幅がサポートされなくてもよい。また、第２のオペレーティングバンドにおいては、第１のチャネル帯域幅から第５のチャネル帯域幅がサポートされてもよい。ここで、オペレーティングバンドは、下りリンクキャリア、および、上りリンクキャリアのそれぞれに対して利用可能なキャリア周波数の範囲を規定してもよい。利用可能なキャリア周波数の範囲に基づいて、利用可能なチャネル帯域幅またはシステム帯域幅が規定されてもよい。端末装置および基地局装置は、少なくとも１つのオペレーティングバンドはサポートしている。複数のオペレーティングバンドをサポートしているかどうかは、端末装置の能力、および／または、基地局装置の能力に基づいてもよい。また、オペレーティングバンドは、利用可能なデュプレックスモードと関連付けられてもよい。該ある期間における該サンプリングサイズが多いほど、サポートされるチャネル帯域幅は広くなってもよい。例えば、該ある期間に対応するサブキャリア間隔１５ｋＨｚに対して、該サンプリングサイズが２０４８である場合には、チャネル帯域幅は２０ＭＨｚまでサポートされてもよいまた、該ある期間に対応するサブキャリア間隔１５ｋＨｚに対して、該サンプリングサイズが４０９６である場合には、チャネル帯域幅は４０ＭＨｚまでサポートされてもよい。
【００１９】
次に、本実施形態に係るサブフレームについて説明する。本実施形態に係るサブフレームの長さ（時間長、期間）は、１ｍｓであってもよい。また、サブフレーム長に対応するサブキャリア間隔は、１５ｋＨｚであってもよい。つまり、１つのサブフレームを構成するシンボルの数は、サブキャリア間隔１５ｋＨｚに基づいて規定されてもよい。例えば、１つのサブフレームを構成するシンボルの数は、ＣＰ長およびシンボル長を考慮して規定されてもよい。例えば、１つのサブフレームを構成するシンボルの数は、ＮＣＰの場合、１４シンボルであってもよい。なお、１ｍｓのサブフレーム長に対応するために、ＣＰを含む特定のシンボルは、ＣＰを含む他のシンボルとシンボル長が異なってもよい。なお、特定のシンボルにおいて、付与されるＣＰの長さが異なってもよい。サブフレームには、１つまたは１つより多いスロット、および／または、１つまたは１つより多いミニスロット、および／または、１つまたは１つより多いシンボルが含まれてもよい。
【００２０】
ここで、１つのサブフレームに含まれるシンボルの数は、送信および／または受信に用いられる物理チャネルに対するサブキャリア間隔に基づいて規定されてもよい。例えば、該サブキャリア間隔が１５ｋＨｚの場合には、１つのサブフレームに含まれるシンボルの数は１４シンボルであってもよい。また、該サブキャリア間隔が３０ｋＨｚの場合には、１つのサブフレームに含まれるシンボルの数は２８シンボルであってもよい。また、１つのサブフレームに含まれるシンボルの数は、特定の物理チャネルおよび／または特定の物理信号を検出することによって、または、特定の物理チャネルおよび／または特定の物理信号に対するサブキャリア間隔を識別することによって、端末装置に想定されてもよい。つまり、端末装置は、サブキャリア同期およびシンボル同期を行なうことによって、１つのサブフレームに含まれるシンボルの数を想定してもよい。また、１つのサブフレームに含まれるシンボルの数は、端末装置のデフォルト値として規定されてもよい。例えば、１つのサブフレームに含まれるシンボルの数は、オペレーティングバンドと関連付けられて規定されてもよい。つまり、端末装置は、あるオペレーティングバンドのキャリア周波数に属する、セルにキャンプする、および／または、セルを捕捉（検出）するために、該あるオペレーティングバンドに基づいて１つのサブフレームに含まれるシンボルの数を想定してもよい。つまり、該想定に基づいて、端末装置は、ブロードキャストされる特定の物理チャネルおよび／または特定の物理信号の受信および／または検出を行なってもよい。また、該想定に基づいて、端末装置は、時間周波数同期を行なってもよい。また、端末装置は、該特定の物理チャネルおよび／または該特定の物理信号によって示される種々の設定および／またはパラメータに基づいて、初期コネクション確立手順および／またはコネクション再確立手順および／またはハンドオーバ手順を行なってもよい。なお、初期コネクション確立手順には、初期アクセス手順が含まれてもよい。初期アクセス手順、コネクション再確立手順、および、ハンドオーバ手順には、ランダムアクセス手順が含まれてもよい。
【００２１】
ここで、共通の上位層シグナリングとは、同じセル内の端末装置間で共通の値、および／または、同じ値として設定される上位層パラメータを含むシグナリングのことであってもよい。個別の上位層シグナリングとは、同じセル内の端末装置間で個別に設定可能な上位層パラメータを含むシグナリングのことであってもよい。
【００２２】
ここで、共通の物理層シグナリングとは、同じセル内の端末装置間で共通の値、および／または、同じ値として設定される物理層パラメータを含むシグナリングのことであってもよい。個別の物理層シグナリングとは、同じセル内の端末装置間で個別に設定可能な物理層パラメータを含むシグナリングのことであってもよい。なお、共通の物理層シグナリングがマップされる物理リソースは、同じセル内の端末装置間で同じであってもよい。個別の物理層シグナリングがマップされる物理リソースは、同じセル内の端末装置間で異なってもよい。
【００２３】
スロットおよびミニスロットに関する設定を示す情報がセルにおいてブロードキャストされていない場合には、該スロットおよび該ミニスロットに関する種々のパラメータが設定されるまでは、端末装置は、サブフレームに関する種々の設定に基づいて、特定の物理チャネル、および／または、特定の物理信号の送信および受信を行なってもよい。後述するスロットおよびミニスロットに関して端末装置にデフォルト値が設定されていない場合には、該スロットおよび該ミニスロットに関する種々のパラメータが設定されるまでは、端末装置は、サブフレームに関する種々の設定に基づいて、特定の物理チャネル、および／または、特定の物理信号の送信および受信を行なってもよい。後述するスロットおよびミニスロットに関して端末装置にデフォルト値が設定されていない、且つ、スロットおよびミニスロットに関する設定を示す情報がセルにおいてブロードキャストされていない場合には、該スロットおよび該ミニスロットに関する種々のパラメータが設定されるまでは、端末装置は、サブフレームに関する種々の設定に基づいて、特定の物理チャネル、および／または、特定の物理信号の送信および受信を行なってもよい。
【００２４】
端末装置は、スロットおよび／またはミニスロットに関するパラメータが設定されるまではサブフレームに関するパラメータに基づいて、種々の物理チャネルおよび／物理信号の送信および／または受信を行なってもよい。ここで、サブフレームに関するパラメータとは、サブキャリア間隔、１つのサブフレームを構成するシンボルの数、１つのシンボルの長さ、および／または、１つのＣＰの長さであってもよい。
【００２５】
スロットおよびミニスロットに関する設定を示す情報がセルにおいてブロードキャストされている場合には、端末装置は、スロットおよびミニスロットに関する設定を示す情報に基づいて、特定の物理チャネル、および／または、特定の物理信号の送信および受信を行なってもよい。
【００２６】
また、後述するスロットおよびミニスロットに関して端末装置にデフォルト値が設定されている場合には、デフォルト値に基づいて、特定の物理チャネル、および／または、特定の物理信号の送信および受信を行なってもよい。その際、特定の物理チャネル、および／または、特定の物理信号を除く一部の物理チャネルおよび／または物理信号においては、端末装置は、サブフレームに関する種々の設定に基づいて、送信および受信を行なってもよい。
【００２７】
後述するスロットおよびミニスロットに関して端末装置にデフォルト値が設定されている場合、且つ、スロットおよびミニスロットに関する設定を示す情報がセルにおいてブロードキャストされている場合には、端末装置は、ブロードキャストされたスロットおよびミニスロットに関する設定を示す情報に基づいて、特定の物理チャネル、および／または、特定の物理信号の送信および受信を行なってもよい。特定の物理チャネル、および／または、特定の物理信号を除く一部の物理チャネルおよび／または物理信号においては、端末装置は、デフォルト値に基づいて、送信および受信を行なってもよい。また、特定の物理チャネル、および／または、特定の物理信号を除く一部の物理チャネルおよび／または物理信号においては、端末装置は、サブフレームに関する種々の設定に基づいて、送信および受信を行なってもよい。
【００２８】
１つのサブフレームの中に、複数の物理チャネルおよび／または複数の物理信号が配置されてもよい。例えば、１つのサブフレームの中に、下りリンク物理チャネル、および、上りリンク物理チャネルが配置されてもよい。また、１つのサブフレームの中に、下りリンクに関連する物理チャネルおよび物理信号だけが配置されてもよい。また、１つのサブフレームの中に、上りリンクに関連する物理チャネルおよび物理信号だけが配置されてもよい。下りリンク物理チャネルと上りリンク物理チャネルは、異なるシンボル数で規定および／または設定されてもよい。下りリンク物理チャネルおよび上りリンク物理チャネルが同じサブフレームに配置可能な場合、下りリンク物理チャネルおよび上りリンク物理チャネルは異なるシンボル（異なるシンボル番号）に配置されることが好ましい。１つの端末装置において、下りリンク物理チャネルの受信から上りリンク物理チャネルの送信に切り替える場合、スイッチングポイントまたはスイッチング期間としてギャップが規定および／または設定されてもよい。また、サブフレーム内の各シンボルの長さは、シンボル番号に対応して規定されてもよい。例えば、シンボル番号によって、シンボルの長さは異なってもよい。
【００２９】
サブフレームは、特定の物理チャネルおよび／または特定の物理信号の送信単位および／または受信単位として用いられてもよい。例えば、サブフレームは、特定の物理チャネルおよび／または特定の物理信号の送信周期や受信周期を示すために用いられてもよい。また、サブフレームは、特定の処理または特定の手順に対する時間間隔を示すために用いられてもよい。ここで、特定の物理チャネルとは、特定の情報を含む物理チャネルのことであってもよい。特定の物理信号とは、特定の目的のために送信される物理信号のことであってもよい。例えば、特定の物理信号とは、時間周波数同期を行なうために送信される信号のことであってもよい。また、特定の物理信号とは、物理リソースの割り当て、管理を行なうために送信される信号のことであってもよい。また、特定の物理信号とは、チャネル状態測定を行なうために送信される信号のことであってもよい。ここで、チャネル状態は、チャネルの品質や電力、到来角度またはビーム、レイヤの数に関連してもよい。
【００３０】
次に、本実施形態に係るスロットについて説明する。スロットは、１つまたは１つより多いミニスロット、および／または、１つまたは１つよりも多い物理チャネル、および／または、１つまたは１つよりも多いシンボルで構成されてもよい。１つのスロットの長さ（時間長）は、１つのスロットを構成するシンボルの数、１つのシンボルの長さ、該１つのシンボルに付与される１つのＣＰの長さに基づいて規定されてもよい。該１つのシンボルの長さ、および、該１つのＣＰの長さは、スロットに対して適用されるサブキャリア間隔に関連して規定されてもよい。つまり、スロットに用いられるシンボルおよびＣＰの長さは、サブフレームとは個別に設定または規定されてもよい。
【００３１】
ここで、１つのスロットを構成するシンボルの数は、スロットの構成に用いられるサブキャリア間隔に基づいて規定されてもよい。例えば、サブキャリア間隔が６０ｋＨｚまでは、１つのスロットを構成するシンボルの数は、７シンボル、または、１４シンボルであってもよい。また、サブキャリア間隔が６０ｋＨｚを超える場合には、１つのスロットを構成するシンボルの数は、１４シンボルであってもよい。また、１つのスロットを構成するシンボルの数は、１つのサブフレームを構成するシンボルの数とは個別に設定されてもよい。例えば、１つのスロットを構成するシンボルの数は、共通および／または個別の上位層シグナリングを介して設定されてもよい。また、１つのスロットを構成するシンボルの数は、共通および／または個別の物理層シグナリングを介して設定されてもよい。
【００３２】
なお、１つの端末装置に対して、１つのサブフレーム内に１つよりも多くスロットが含まれる場合には、該サブフレーム内の各スロットを構成するシンボルの数は、共通、または、同じ数であってもよい。また、１つの端末装置に対して、１つのサブフレーム内に１つよりも多くのスロットが含まれる場合には、該サブフレーム内の各スロットを構成するシンボルの数は、個別に設定されてもよい。また、１つの端末装置に対して、１つのサブフレーム内に１つよりも多くのスロットが含まれる場合には、該サブフレーム内の各スロットを構成するシンボルの数は、各スロットに対応するサブキャリア間隔に基づいて規定されてもよい。ある端末装置に対して、複数のスロットを時間多重して送信および／または受信を行なうスロットアグリゲーションが適用される場合には、スロットアグリゲーション内の各スロットを構成するシンボルの数は、共通、または、同じ数であってもよい。該時間多重される複数のスロットに、複数の物理チャネルおよび／または複数の物理信号が配置されてもよい。１つのチャネルが、該時間多重される複数のスロットに配置されてもよい。
【００３３】
１つのスロットの中に、複数の物理チャネルおよび／または複数の物理信号が配置されてもよい。つまり、スロットは、１つまたは１つよりも多い物理チャネル、および／または、１つまたは１つよりも多い物理信号が配置される時間周波数領域、および／または、物理リソースを規定してもよい。例えば、１つのスロットの中に、下りリンク物理チャネル、および、上りリンク物理チャネルが配置されてもよい。１つのスロット内に配置される下りリンク物理チャネルと上りリンク物理チャネルは、異なるシンボル数で規定および／または設定されてもよい。下りリンク物理チャネルおよび上りリンク物理チャネルが、同じキャリア周波数の同じスロットに配置可能な場合、下りリンク物理チャネルと上りリンク物理チャネルは異なるシンボル（異なるシンボル番号）に配置されてもよい。つまり、１つのスロット内に配置される下りリンク物理チャネルと上りリンク物理チャネルは、ＴＤＭ（Ｔｉｍｅ  Ｄｏｍａｉｎ  Ｍｕｌｔｉｐｌｅｘｉｎｇ）で配置される。また、端末装置において、下りリンク物理チャネルの受信から上りリンク物理チャネルの送信に切り替える場合、スイッチングポイントまたはスイッチング期間としてギャップが規定および／または設定されてもよい。また、１つのスロットの中に、下りリンク物理チャネルと上りリンク物理チャネルが配置可能な場合、下りリンク物理チャネルおよび上りリンク物理チャネルのそれぞれに用いられるシンボルの長さおよび付与されるＣＰの長さは共通であってもよい。ただし、ＣＰの長さがシンボル番号に対応する場合には、ＣＰの長さは下りリンク物理チャネルと上りリンク物理チャネル間で異なってもよい。ここで、ＣＰは、付与されるシンボルの番号に応じて、追加されてもよい。つまり、各シンボル番号間で同じ長さのＣＰと、特定のシンボル番号で追加される特定の長さのＣＰがあってもよい。追加される特定の長さのＣＰはエクストラＣＰと称されてもよい。エクストラＣＰの長さは、付与されるシンボルに対応するサブキャリア間隔に基づいて規定されてもよい。エクストラＣＰについては、後述するミニスロットに対しても同様に追加されてもよい。例えば、エクストラＣＰは、０．５ｍｓ間隔で挿入されてもよい。言い換えると、エクストラＣＰは、０．５ｍｓ毎に対応するシンボルにおいて、挿入されてもよい。つまり、エクストラＣＰは、所定の時間間隔において、対応するシンボルまたはシンボル番号で、挿入されてもよい。対応するシンボル番号において、エクストラＣＰとＮＣＰは、１つのＣＰとしてみなされてもよい。つまり、対応するシンボル番号において付与されるＣＰの長さは、他のシンボル番号において付与されるＣＰの長さと異なってもよい。
【００３４】
なお、スロットおよびスロット内に配置される物理チャネルおよび／または物理信号は、サブフレーム境界上（隣接するサブフレーム間）に配置されないことが好ましい。
【００３５】
次に、本実施形態に係るミニスロットについて説明する。ミニスロットは、１つまたは１つより多いシンボルで構成されてもよい。１つのミニスロットの長さ（時間長）は、１つのミニスロットを構成するシンボルの数、１つのシンボルの長さ、該１つのシンボルに付与される１つのＣＰの長さに基づいて規定されてもよい。該１つのシンボルの長さ、および、該１つのＣＰの長さは、ミニスロットに対して適用されるサブキャリア間隔に関連して規定されてもよい。つまり、ミニスロットに用いられるシンボルおよびＣＰの長さは、サブフレームやスロットとは個別に設定または規定されてもよい。
【００３６】
ここで、１つのミニスロットを構成するシンボルの数は、スロットを構成するシンボルの数よりも少ない数であってもよい。また、１つのミニスロットを構成するシンボルの数は、１つのスロットを構成するシンボルの数に基づいて規定または設定されてもよい。また、１つのミニスロットを構成するシンボルの数は、１つのスロットを構成するシンボルの数とは個別に設定されてもよい。例えば、１つのミニスロットを構成するシンボルの数は、共通および／または個別の上位層シグナリングを介して設定されてもよい。また、１つのミニスロットを構成するシンボルの数は、共通および／または個別の物理層シグナリングを介して設定されてもよい。なお、サブフレームの中に１つよりも多いミニスロットを含むことができる場合には、１つのサブフレームに含まれるミニスロット間で、１つのミニスロットを構成するシンボルの数は、少なくとも１つのサブフレーム内では共通、または、同じ数であることが好ましい。また、１つのミニスロットを構成するシンボルの数は、ミニスロットに対して適用または設定されるサブキャリア間隔に関連して規定されてもよい。
【００３７】
なお、１つのミニスロットには、１つの物理チャネルおよび／または１つの物理信号が配置されてもよい。例えば、ミニスロットには、１つの物理チャネルと該物理チャネルを復調するための物理信号がマッピングされてもよい。つまり、ミニスロットは、１つの物理チャネルおよび／または１つの物理信号が配置される時間周波数領域または物理リソースを規定してもよい。また、端末装置において、複数のミニスロットを同時に、送信および／または受信する能力をサポートしている場合には、ミニスロット毎に個別の物理チャネルおよび／または物理信号が配置されてもよい。また、ミニスロットは、スロットが設定された場合にのみ、設定されてもよい。ミニスロットとスロットは、１つのサブフレームに混在してもよい。スロットおよびミニスロットが個別に設定される場合は、端末装置および／または基地局装置は、スロットとミニスロット、または、スロットとミニスロットのそれぞれに割り当てられた物理チャネルおよび物理信号を同時に送信および／または受信を行なってもよい。１つのセルの１つのサブフレームにおいて、異なるミニスロットの送信と受信を同時に行なえるかどうかは、端末装置がサポートしている能力に基づいて決定されてもよい。ここで、“個別に設定される”とは、個別に関連するパラメータが設定されることを含んでもよい。
【００３８】
また、１つのスロットに複数のミニスロットが含まれてもよい。下りリンクに対するミニスロットと上りリンクに対するミニスロットが１つのスロットに含まれてもよい。端末装置において、下りリンクに対するミニスロットの受信から上りリンクに対するミニスロットの送信に切り替える場合、下りリンクミニスロットと上りリンクミニスロットの間にスイッチングポイントに相当するギャップが含まれることが好ましい。
【００３９】
ミニスロットの構成（例えば、ミニスロットを構成するシンボルの数やサブキャリア間隔）は、ミニスロットに含まれる物理チャネルおよび／または物理信号に対して設定される種々のパラメータに基づいて規定されてもよい。１つのサブフレームおよび／または１つのスロットに複数のミニスロットが含まれる場合、特定の物理チャネルおよび／または特定の物理信号に対するミニスロットの構成は、１つのサブフレームおよび／または１つのスロット内では、同じ構成であることが好ましい。例えば、制御情報を含む物理チャネルの構成は、１つのサブフレームおよび／または１つのスロット内では、同じ構成であることが好ましいが、データ情報を含む物理チャネルの構成は、１つのサブフレームおよび／または１つのスロット内で異なってもよい。
【００４０】
また、ミニスロットを用いて送信および／または受信を行なうかどうかは、端末装置および基地局装置がサポートしている能力に基づいて決定されてもよい。つまり、ミニスロットを用いた送信および／または受信は、共通および／または個別の上位層のシグナリングおよび／または物理層シグナリングを介して、ミニスロットに関連するパラメータが設定されるまで行なわれなくてもよい。
【００４１】
なお、ミニスロット、および、ミニスロット内に配置される物理チャネルおよび／または物理信号は、サブフレーム境界上に（つまり、隣接するサブフレームを横断するように）配置されないことが好ましい。また、ミニスロット、および、ミニスロット内に配置される物理チャネルおよび／または物理信号は、スロット境界上（隣接するスロット間）に配置されないことが好ましい。
【００４２】
１つのオペレーティングバンドに対して、１つ、または、１つよりも多いサブキャリア間隔が規定、または、使用されてもよい。例えば、オペレーティングバンドインデックス１に対して、サブキャリア間隔が１５ｋＨｚ、３０ｋＨｚ、６０ｋＨｚの物理チャネルおよび／または物理信号を用いた送信および受信がサポートされてもよい。また、オペレーティングバンドインデックス２に対して、サブキャリア間隔が１５ｋＨｚの物理チャネルおよび／または物理信号を用いた送信および受信がサポートされてもよい。
【００４３】
連続するサブフレーム／スロット／ミニスロット間で、ＲＦ（Ｒａｄｉｏ  Ｆｒｅｑｕｅｎｃｙ）帯域幅が異なる場合、且つ、前のサブフレーム／スロット／ミニスロットにおける第１のＲＦ帯域幅よりも後のサブフレーム／スロット／ミニスロットにおける第２のＲＦ帯域幅の方が広い場合には、端末装置は、連続するサブフレーム／スロット／ミニスロット間で、所定の期間よりも長いギャップがなければ、第２のＲＦ帯域幅のサブフレーム／スロット／ミニスロットにおける物理チャネルおよび／または物理信号を受信することを期待しなくてもよい。
【００４４】
サブキャリア間隔に対応する、１つのシンボルに対する、シンボルの長さと付与されるＣＰの長さの割合が同じ場合、異なるサブキャリア間隔に対応するシンボルレベルでのアラインメントが行なわれてもよい。ここで、シンボルレベルでのアラインメントとは、基準となるサブキャリア間隔におけるシンボルの境界に対して、異なるサブキャリア間隔に対応するシンボルがオーバーラップして配置されないことを意図してもよい。つまり、あるブキャリア間隔におけるシンボルの境界に対して、異なるサブキャリア間隔に対するシンボルが収まるようにシンボル長またはＣＰ長が調整されることを意図してもよい。例えば、第１のサブキャリア間隔に対応するシンボルの境界上に、第２のサブキャリア間隔に対応するシンボルが配置されないことが好ましい。
【００４５】
次に、本実施形態に係る物理チャネルおよび物理信号について説明する。下りリンクに関する物理チャネルおよび物理信号をそれぞれ、下りリンク物理チャネルおよび下りリンク物理信号と称してもよい。また、上りリンクに関する物理チャネルおよび物理信号をそれぞれ、上りリンク物理チャネルおよび上りリンク物理信号と称してもよい。
【００４６】
下りリンクに対する物理チャネルは、例えば、報知情報、システム情報、ページング情報、各種設定情報、ＡＣＫ（Ａｃｋｎｏｗｌｅｄｇｅｍｅｎｔ）／ＮＡＣＫ（Ｎｅｇａｔｉｖｅ  Ａｃｋｎｏｗｌｅｄｇｅｍｅｎｔ）、ユーザデータ、制御データを送信するために用いられてもよい。用途に応じてそれぞれ、物理チャネルに用いられるリソース割り当て方法や系列生成方法が定義されてもよい。下りリンクユーザデータには、下りリンク共用データが含まれてもよい。制御データには、下りリンク制御情報（ＤＣＩ）が含まれてもよい。制御データには、下りリンクおよび／または上りリンクのスケジューリングに用いられるグラントが含まれてもよい。例えば、報知情報は、物理報知チャネルで送信されてもよい。ページング情報は、物理ページングチャネルで送信されてもよい。ユーザデータは、物理共用チャネルで送信されてもよい。制御データは、物理制御チャネルで送信されてもよい。また、報知情報、システム情報、ページング情報は、物理共用チャネルで送信されてもよい。
【００４７】
下りリンクに対する物理信号は、例えば、下りリンク物理チャネルの復調、時間周波数同期（シンボルアラインメント、サブキャリア間隔同期、スロット同期、サブフレーム同期）、タイミング同期（タイミング調整）、セルＩＤの捕捉／検出、ＲＲＭ（Ｒａｄｉｏ
Ｒｅｓｏｕｒｃｅ  Ｍａｎａｇｅｍｅｎｔ）測定、ＣＳＩ（Ｃｈａｎｎｅｌ  Ｓｔａｔｅ  Ｉｎｆｏｒｍａｔｉｏｎ）測定、ビームマネジメントおよび／またはビーム捕捉、ポジショニングのために用いられてもよい。用途に応じてそれぞれ、物理信号に用いられるリソース割り当て方法や系列生成方法が定義されてもよい。
【００４８】
上りリンクに対する物理チャネルは、例えば、端末装置の能力情報、ＡＣＫ（Ａｃｋｎｏｗｌｅｄｇｅｍｅｎｔ）／ＮＡＣＫ（Ｎｅｇａｔｉｖｅ  Ａｃｋｎｏｗｌｅｄｇｅｍｅｎｔ）、ＲＲＭ測定やＣＳＩ測定の測定結果の報告、ユーザデータ、制御データ、ランダムアクセスプリアンブル（ランダムアクセス情報）を送信するために用いられてもよい。用途に応じてそれぞれ、物理チャネルに用いられるリソース割り当て方法や系列生成方法が定義されてもよい。上りリンクユーザデータには、上りリンク共用データが含まれてもよい。ユーザデータおよび／または制御データには、上りリンク制御情報（ＵＣＩ）が含まれてもよい。ＵＣＩは、ＨＡＲＱ（Ｈｙｂｒｉｄ  Ａｕｔｏ  Ｒｅｐｅａｔ  ｒｅＱｕｅｓｔ）やＣＳＩに関するフィードバック情報が含まれてもよい。ユーザデータは、物理共用チャネルで送信されてもよい。制御データは、物理制御チャネルで送信されてもよい。ランダムアクセスプリアンブルは、物理ランダムアクセスチャネルで送信されてもよい。
【００４９】
上りリンクに対する物理信号は、例えば、上りリンク物理チャネルの復調、時間周波数同期、タイミング同期およびタイミング調整、チャネル状態測定、ビームマネジメントおよび／またはビーム捕捉、端末装置のポジショニングのために用いられてもよい。用途に応じてそれぞれ、物理信号に用いられるリソース割り当て方法や系列生成方法が定義されてもよい。
【００５０】
下りリンクと上りリンクで、リソース割り当て方法や系列生成方法は異なってもよい。また、各物理チャネルは、ある情報、または、あるデータを含む物理チャネルと称されてもよい。
【００５１】
次に、本実施形態に係るＤＲＸ（Ｄｉｓｃｏｎｔｉｎｕｏｕｓ  Ｒｅｃｅｐｔｉｏｎ）について説明する。ＤＲＸは、端末装置のバッテリー消費を適正または抑制する（つまり、パワーセーブする）ために行なわれる。
【００５２】
ＤＲＸおよびＤＲＸに関する種々の設定は、端末装置毎に設定される。ＤＲＸに関する種々の設定は、ＭＡＣ（Ｍｅｄｉｕｍ  Ａｃｃｅｓｓ  Ｃｏｎｔｒｏｌ）層に関する設定（例えば、ＭＡＣ−ＭａｉｎＣｏｎｆｉｇ）に含まれてもよい。ＤＲＸに用いられる種々のパラメータの値は、ネットワークによって制御される。測定要件や報告基準は、ＤＲＸサイクルの長さに応じて異なってもよい。ＤＲＸのインターバルが長い場合には、測定要件は緩和されてもよい。ＤＲＸに係らず、端末装置は、最初の有効なＲＡＣＨ機会で上りリンクの測定レポートの送信を行なってもよい。ここで、上りリンクの測定レポートは、端末装置における種々の測定結果が含まれてもよい。例えば、測定結果は、ＲＳＲＰ（Ｒｅｆｅｒｅｎｃｅ  Ｓｉｇｎａｌ  Ｒｅｃｅｉｖｅｄ  Ｐｏｗｅｒ）であってもよい。また、測定結果は、ＲＳＲＱ（Ｒｅｆｅｒｅｎｃｅ  Ｓｉｇｎａｌ  Ｒｅｃｅｉｖｅｄ  Ｑｕａｌｉｔｙ）であってもよい。また、測定結果は、ＲＳＳＩ（Ｒｅｃｅｉｖｅｄ  Ｓｉｇｎａｌ  Ｓｔｒｅｎｇｔｈ  Ｉｎｄｉｃａｔｏｒ）であってもよい。また、測定結果は、端末装置における送信および受信の時間差であってもよい。また、測定結果は、端末装置が受信したＧＰＳ（Ｇｌｏｂａｌ  Ｐｏｓｉｔｉｎｉｎｇ  Ｓｙｓｔｅｍ）に基づく位置情報であってもよい。データ送信に関連するＨＡＲＱオペレーションは、ＤＲＸオペレーションと独立して行なわれてもよい。ＤＲＸに係らず、端末装置は、可能な再送信および／またはＡＣＫ／ＮＡＣＫシグナリングを読み込むために、物理制御チャネルのモニタリングを行なってもよい。また、下りリンクにおいて、あるタイマーは、端末装置が再送信に対する待機時間を制限するために用いられてもよい。また、上りリンクにおいて、非同期ＨＡＲＱに対して、あるタイマーは、端末装置が再送信に対する待機時間を制限するために用いられてもよい。なお、ＤＲＸオペレーションには、ＤＲＸサイクルを決定するプロセスが含まれてもよい。ここで、ＤＲＸサイクルは、ｉｎａｃｔｉｖｉｔｙと見込まれる周期（ｉｎａｃｔｉｖｉｔｙである周期・期間、つまり、ｏｆｆ  Ｄｕｒａｔｉｏｎ）に続くｏｎ  Ｄｕｒａｔｉｏｎの周期的な繰り返し（繰り返し周期）を規定する。ここで、ｏｎ  Ｄｕｒａｔｉｏｎをアクティブタイムとも称する。
【００５３】
ＤＲＸが設定される場合、端末装置は、ｏｎ  Ｄｕｒａｔｉｏｎの時に、周期的にＣＳＩ（Ｃｈａｎｎｅｌ  Ｓｔａｔｅ  Ｉｎｆｏｒｍａｔｉｏｎ）報告を行なうことができる。ｏｎ  Ｄｕｒａｔｉｏｎではない時に、周期的なＣＳＩ報告は制限されてもよい。なお、ｏｎ  Ｄｕｒａｔｉｏｎは、ａｗａｋｅまたはｗａｋｅ  ｕｐ状態と称されてもよい。端末装置は、ｏｎ  Ｄｕｒａｔｉｏｎ中に物理制御チャネルをモニタすることができる。
【００５４】
なお、ｏｎ  Ｄｕｒａｔｉｏｎは、種々のタイマーがランニングしている時間を含んでもよい。また、ｏｎ  Ｄｕｒａｔｉｏｎは、上りリンクに対する物理制御チャネルにおいて、スケジューリングリクエストが送信される時間およびペンディングしている時間を含んでもよい。また、ｏｎ  Ｄｕｒａｔｉｏｎは、ペンディングしているＨＡＲＱの再送信に対する上りリンクグラントが生じている時間および同期ＨＡＲＱプロセスに対するＨＡＲＱバッファにおけるデータが存在する時間を含んでもよい。また、アクティブタイムは、端末装置に対して新しい送信を指示する物理制御チャネルが、端末装置によって選択されなかったプリアンブルに対するランダムアクセスレスポンスの受信成功後に受信されていない時間を含んでもよい。
【００５５】
ＤＲＸに関する設定（ｄｒｘ−Ｃｏｎｆｉｇ）には、ＤＲＸサイクルの初めに、物理制御チャネルをモニタする期間を規定するタイマー（ｏｎＤｕｒａｔｉｏｎＴｉｍｅｒ）が含まれてもよい。また、ＤＲＸに関する設定には、物理制御チャネルの復号に成功してから、制御チャネルをモニタするために待機する期間を規定するタイマー（ｄｒｘ−ＩｎａｃｔｉｖｉｔｙＴｉｍｅｒ）が含まれてもよい。ＤＲＸに関する設定には、下りリンクの再送信が受信されるまでの最大期間を規定するタイマー（ｄｒｘ−ＲｅｔｒａｎｓｍｉｓｓｉｏｎＴｉｍｅｒ）が含まれてもよい。また、ＤＲＸに関する設定には、上りリンクの再送信に対するグラントが受信されるまでの最大期間を規定するタイマー（ｄｒｘ−ＵＬＲｅｔｒａｎｓｍｉｓｓｉｏｎＴｉｍｅｒ）が含まれてもよい。また、ＤＲＸに関する設定には、ＤＲＸサイクルまたはロングＤＲＸサイクルに関する周期性およびスタートオフセットに関するパラメータ（ｌｏｎｇＤＲＸ−ＣｙｃｌｅＳｔａｒｔＯｆｆｓｅｔ）が含まれてもよい。また、ＤＲＸに関する設定には、ショートＤＲＸに関する設定が含まれてもよい。ショートＤＲＸに関する設定には、ショートＤＲＸサイクルの周期性を示すパラメータ（ｓｈｏｒｔＤＲＸ−Ｃｙｃｌｅ）、および、ＭＡＣエンティティがショートＤＲＸサイクルをフォローする期間を規定するタイマー（ｄｒｘ−ＳｈｏｒｔＣｙｃｌｅＴｉｍｅｒ）が含まれてもよい。ＤＲＸに関する設定に、ショートＤＲＸサイクルに関するパラメータが含まれる場合、ＤＲＸサイクルに関するパラメータは、ロングＤＲＸに関するパラメータとみなしてもよい。つまり、ＤＲＸは、ショートＤＲＸが設定される場合に、ロングＤＲＸとみなされる。なお、ＤＲＸに関する設定は、ＭＡＣに関する設定に含まれてもよい。
【００５６】
下りリンクＨＡＲＱの再送信が予期される最小の期間を規定するタイマー（ＨＡＲＱ  ＲＴＴ  Ｔｉｍｅｒ）があってもよい。また、上りリンクＨＡＲＱの再送信に対するグラントが予期される最小の期間を規定するタイマー（ＵＬ  ＨＡＲＱ  ＲＴＴ  Ｔｉｍｅｒ）があってもよい。
【００５７】
ｏｎ  Ｄｕｒａｔｉｏｎは、上述したタイマーによって物理制御チャネルをモニタする期間の総数であってもよい。
【００５８】
上述した、これらのタイマーの少なくとも１つが満了すると、端末装置は、所定の期間、物理制御チャネルをモニタしない期間に入る。この期間をｏｆｆ  ＤｕｒａｔｉｏｎまたはＤＲＸスリープと称してもよい。なお、制御チャネルをモニタする期間をｏｎ  Ｄｕｒａｔｉｏｎと称してもよい。また、端末装置は、あるＭＡＣコントロールエレメントを受信することによって、ｏｆｆ  Ｄｕｒａｔｉｏｎに入ってもよい。また、端末装置は、あるＭＡＣコントロールエレメントを受信することによって、ｏｎ  Ｄｕｒａｔｉｏｎに入ってもよい。つまり、端末装置は、あるＭＡＣコントロールエレメントを受信することによって、物理制御チャネルをモニタするために起動してもよいし、物理制御チャネルをモニタしないように停止してもよい。
【００５９】
端末装置は、ｏｎ  Ｄｕｒａｔｉｏｎ中に、種々のＲＮＴＩ（Ｒａｄｉｏ  Ｎｅｔｗｏｒｋ  Ｔｅｍｐｏｒａｒｙ  Ｉｄｅｎｔｉｆｉｅｒ）に関連する制御チャネルをモニタすることができる。端末装置は、基地局装置との間にコネクションが確立された状態である、コネクションモードである場合に、ＤＲＸが設定されたとすれば、物理制御チャネルのモニタリングを非連続で行なうことができる。さもなければ、端末装置は、物理制御チャネルのモニタリングを連続で行なう。
【００６０】
複数のセルおよび複数のコンポーネントキャリアを用いて通信を行なうキャリアアグリゲーション（ＣＡ）において、端末装置は、ＤＲＸが１つのサービングセル（つまり、プライマリセル）に対して設定された場合、ＤＲＸが適用される。他の、設定されたおよびアクティベートされたセルに対しては、プライマリセルと同じＤＲＸオペレーションが適用される。ここで、プライマリセルとは、常に、アクティベートされたセルのことである。セカンダリセルとは、必要に応じて、基地局装置によって、追加・削除、アクティベートまたはデアクティベートされるセルのことである。プライマリセルおよびセカンダリセルは、サービングセルの一種である。
【００６１】
複数の基地局装置がそれぞれセルを構成するデュアルコネクティビティ（ＤＣ）において、ＭＣＧ（Ｍａｓｔｅｒ  Ｃｅｌｌ  Ｇｒｏｕｐ）とＳＣＧ（Ｓｅｃｏｎｄａｒｙ  Ｃｅｌｌ  Ｇｒｏｕｐ）に対して別のＤＲＸオペレーションが適用されてもよい。同じＣＧの、設定されたおよびアクティベートされたすべてのサービングセルに対して同じＣＧ固有のＤＲＸオペレーションが適用される。ＭＣＧとＳＣＧは、異なるＮｕｍｅｒｏｌｏｇｙのセルを含んでもよい。すなわち、第１のＮｕｍｅｒｏｌｏｇｙの第１のセルを含む第１のセルグループと第２のＮｕｍｅｒｏｌｏｇｙの第２のセルを含む第２のセルグループのそれぞれに対して、個別のＤＲＸオペレーションが適用されてもよい。端末装置は、第１のセルに対応する第１のＭＡＣと第２のセルに対応する第２のＭＡＣを制御してもよい。すなわち、端末装置は、第１のＮｕｍｅｒｏｌｏｇｙに対応する第１のＤＲＸオペレーションを管理する第１のＭＡＣと、第２のＮｕｍｅｒｏｌｏｇｙに対応する第２のＤＲＸオペレーションを管理する第２のＭＡＣを制御してもよい。ここで、該第１のＭＡＣと該第２のＭＡＣは、同じセルに対応してもよい。
【００６２】
端末装置は、アクティブタイム中に、物理制御チャネルをモニタしてもよい。物理制御チャネルが下りリンク送信を示すか、下りリンクアサインメントがこのサブフレームに対して設定されるとすれば、端末装置は、対応するＨＡＲＱプロセスに対する、ＨＡＲＱ  ＲＴＴ  Ｔｉｍｅｒをスタートする。端末装置は、対応するＨＡＲＱプロセスに対する、ｄｒｘ−ＲｅｔｒａｎｓｍｉｓｓｉｏｎＴｉｍｅｒをストップしてもよい。物理制御チャネルが非同期ＨＡＲＱプロセスに対する上りリンク送信を示すとすれば、端末装置は、対応するＨＡＲＱプロセスに対するＵＬ  ＨＡＲＱ  ＲＴＴ  Ｔｉｍｅｒをスタートし、ｄｒｘ−ＵＬＲｅｔｒａｎｓｍｉｓｓｉｏｎＴｉｍｅｒをストップする。物理制御チャネルが新しい送信を示すとすれば、端末装置は、ｄｒｘ−ＩｎａｃｔｉｖｉｔｙＴｉｍｅｒをスタートまたはリスタートする。なお、端末装置にはＭＡＣエンティティが含まれてもよい。
【００６３】
次に、本実施形態に係るＤＲＸが設定された場合の端末装置の種々の動作について説明する。
【００６４】
ＨＡＲＱ  ＲＴＴ  Ｔｉｍｅｒが満了し、対応するＨＡＲＱプロセスのデータの復号に成功しなかったとすれば、端末装置は、対応するＨＡＲＱプロセスに対するｄｒｘ−ＲｅｔｒａｎｓｍｉｓｓｉｏｎＴｉｍｅｒをスタートする。
【００６５】
ＵＬ  ＨＡＲＱ  ＲＴＴ  Ｔｉｍｅｒが満了したとすれば、端末装置は、対応するＨＡＲＱプロセスに対するｄｒｘ−ＵＬＲｅｔｒａｎｓｍｉｓｓｉｏｎＴｉｍｅｒをスタートする。
【００６６】
ＤＲＸコマンドＭＡＣコントロールエレメントまたはロングＤＲＸコマンドＭＡＣコントロールエレメントが受信されたとすれば、端末装置は、ｏｎＤｕｒａｔｉｏｎＴｉｍｅｒをストップし、ｄｒｘ−ＩｎａｃｔｉｖｉｔｙＴｉｍｅｒをストップする。
【００６７】
ｄｒｘ−ＩｎａｃｔｉｖｉｔｙＴｉｍｅｒが満了するか、ＤＲＸコマンドＭＡＣコントロールエレメントが受信された場合、ショートＤＲＸサイクルが設定されていれば、端末装置は、ｄｒｘＳｈｏｒｔＣｙｃｌｅＴｉｍｅｒをスタートまたはリスタートし、ショートＤＲＸサイクルを用いて物理制御チャネルのモニタリングを行なう。一方で、ショートＤＲＸサイクルが設定されていなければ、端末装置は、ロングＤＲＸサイクルを用いる。
【００６８】
ｄｒｘＳｈｏｒｔＣｙｃｌｅＴｉｍｅｒが満了すれば、端末装置は、ロングＤＲＸサイクルを用いて物理制御チャネルのモニタリングを行なう。
【００６９】
ロングＤＲＸコマンドＭＡＣコントロールエレメントが受信されたとすれば、端末装置は、ｄｒｘＳｈｏｒｔＣｙｃｌｅＴｉｍｅｒをストップし、ロングＤＲＸサイクルを用いて物理制御チャネルのモニタリングを行なう。
【００７０】
上述したパラメータに基づいて、端末装置は、ｏｎＤｕｒａｔｉｏｎＴｉｍｅｒをスタートする。
【００７１】
次に、本実施形態に係る複数のｎｕｍｅｒｏｌｏｇｙが設定された場合のＤＲＸについて説明する。本実施形態は、ＭＣＧとＳＣＧの両方、または、何れか一方に適用されてもよい。
【００７２】
なお、本実施形態に係るｎｕｍｅｒｏｌｏｇｙには下記パラメータのうち、１つ、または、全部が含まれてもよい。下記パラメータはそれぞれ、サービングセル毎に設定されてもよいし、物理チャネルおよび／または物理信号毎に設定されてもよいし、ＭＡＣ毎に設定されてもよい。また、下記パラメータはそれぞれ、オペレーティングバンドに対応してもよい。また、下記パラメータはそれぞれ、デフォルト値が設定されてもよい。また、下記パラメータはそれぞれ、報知情報、システム情報、ページング情報、上位層の信号（ＲＲＣシグナリング）、ＤＣＩのうち、少なくとも１つを用いて設定されてもよい。
（Ｚ０）サブキャリア間隔
（Ｚ１）１つのスロットを構成するシンボルの数
（Ｚ２）１つのシンボルの長さ
（Ｚ３）１つのシンボルに付与されるＣＰの長さ
（Ｚ４）１つのミニスロットを構成するシンボルの数
（Ｚ５）ＦＦＴサイズ（サンプリングレート）
１つ、または、複数のサービングセルにおいて、複数のｎｕｍｅｒｏｌｏｇｙが設定可能な、または、適用可能な場合には、ｎｕｍｅｒｏｌｏｇｙに対応する物理制御チャネルのモニタリングに対して、同じＤＲＸオペレーションを適用するか異なるＤＲＸオペレーションを適用するかどうかは、下記条件（Ａ０）〜（Ａ５）のうち、少なくとも１つまたは全部に基づいてもよい。
（Ａ０）物理制御チャネルに関する設定が、１つよりも多く設定されているかどうか。
（Ａ１）条件（Ａ０）を満たす場合、物理制御チャネルに関する設定に、物理制御チャネルをモニタする周波数領域を示すパラメータ（ＲＦ帯域幅）が含まれているかどうか。
（Ａ２）条件（Ａ０）を満たす場合、物理制御チャネルに関する設定に、ｎｕｍｅｒｏｌｏｇｙに関するパラメータ（例えば、サブキャリア間隔）が含まれているかどうか。
（Ａ３）セカンダリセルに対するＭＡＣに関する設定に、ＤＲＸに関する設定および／またはショートＤＲＸに関する設定が含まれているかどうか。
（Ａ４）ＤＲＸに関する設定および／またはショートＤＲＸに関する設定を含むＭＡＣ層に関する設定（ＭＡＣ−ＭａｉｎＣｏｎｆｉｇ）が、１つよりも多く設定されているかどうか。
（Ａ５）条件（Ａ４）を満たす場合、ＭＡＣに関する設定が、ｎｕｍｅｒｏｌｏｇｙに対応しているかどうか。
【００７３】
なお、物理制御チャネルをモニタする時間周波数領域をコントロールサブバンドと称してもよい。コントロールサブバンドは、ＣＳＳ（Ｃｏｍｍｏｎ  Ｓｅａｒｃｈ  Ｓｐａｃｅ）とＵＳＳ（ＵＥ−ｓｐｅｃｉｆｉｃ  Ｓｅａｒｃｈ  Ｓｐａｃｅ）のそれぞれに対して設定されてもよい。複数のコントロールサブバンドが設定可能である場合、コントロールサブバンド毎に、ｎｕｍｅｒｏｌｏｇｙが対応付けられてもよい。
【００７４】
下記の設定および／またはパラメータおよび／またはタイマーのうち、１つまたは全部に対して複数設定される場合には、端末装置は、下記の設定および／またはパラメータおよび／またはタイマーに基づいてＤＲＸサイクルを決定し、物理制御チャネルのモニタリングを行なってもよい。さらに、ｎｕｍｅｒｏｌｏｇｙに対応するパラメータおよび／またはタイマーが設定された場合には、端末装置は、ｎｕｍｅｒｏｌｏｇｙに対応したサービングセルに対して、ｎｕｍｅｒｏｌｏｇｙに対応するＤＲＸオペレーションに基づいて物理制御チャネルのモニタリングを行なってもよい。
（Ｂ０）ＤＲＸに関する設定（下記（Ｂ１）〜（Ｂ８）を含んでもよい。）
（Ｂ１）ショートＤＲＸに関する設定（下記（Ｂ７）、（Ｂ８）を含んでもよい。）
（Ｂ２）ｏｎＤｕｒａｔｉｏｎＴｉｍｅｒ
（Ｂ３）ｄｒｘ−ＩｎａｃｔｉｖｉｔｙＴｉｍｅｒ
（Ｂ４）ｄｒｘ−ＲｅｔｒａｎｓｍｉｓｓｉｏｎＴｉｍｅｒ
（Ｂ５）ｄｒｘ−ＵＬＲｅｔｒａｎｓｍｉｓｓｉｏｎＴｉｍｅｒ
（Ｂ６）ｌｏｎｇＤＲＸ−ＣｙｃｌｅＳｔａｒｔＯｆｆｓｅｔ
（Ｂ７）ｓｈｏｒｔＤＲＸ−Ｃｙｃｌｅ
（Ｂ８）ｄｒｘＳｈｏｒｔＣｙｃｌｅＴｉｍｅｒ
１つのＭＡＣに関する設定に含まれるＤＲＸに関する設定および／またはショートＤＲＸに関する設定が複数設定される場合には、ＤＲＸに関する設定および／またはショートＤＲＸに関する設定には、各設定を識別するためのＩＤが含まれてもよい。サービングセルに対して、対応するＩＤが設定される場合には、そのＩＤに対応するＤＲＸに関する設定および／またはショートＤＲＸに関する設定に基づいて、物理制御チャネルのモニタリングを行なってもよい。
【００７５】
また、複数のｎｕｍｅｒｏｌｏｇｙまたはｎｕｍｅｒｏｌｏｇｙセットが設定される場合、各設定を識別するためのＩＤが設定されてもよい。ＤＲＸに関する設定および／またはショートＤＲＸに関する設定が複数設定される場合には、ＤＲＸに関する設定および／またはショートＤＲＸに関する設定のそれぞれに対して、ｎｕｍｅｒｏｌｏｇｙを識別するためのＩＤ（ｎｕｍｅｒｏｌｏｇｙＩＤ）が追加、または、対応付けられてもよい。ｎｕｍｅｒｏｌｏｇｙＩＤが追加されたＤＲＸに関する設定および／またはショートＤＲＸに関する設定は、ｎｕｍｅｒｏｌｏｇｙＩＤに対応するｎｕｍｅｒｏｌｏｇｙの物理制御チャネルのモニタリングに対して、適用されてもよい。なお、ｎｕｍｅｒｏｌｏｇｙＩＤはサービングセルの設定毎または物理チャネルおよび／または物理信号の設定毎に追加、または、対応付けられてもよい。
【００７６】
例えば、第１のｎｕｍｅｒｏｌｏｇｙＩＤとＤＲＸに関する第１の設定が対応し、第１のｎｕｍｅｒｏｌｏｇｙＩＤと第１の物理制御チャネルに関する設定が対応する場合には、端末装置は、第１の物理制御チャネルのモニタリングをＤＲＸに関する第１の設定に基づくＤＲＸサイクルを用いて行なってもよい。また、第２のｎｕｍｅｒｏｌｏｇｙＩＤとＤＲＸに関する第２の設定が対応し、第２のｎｕｍｅｒｏｌｏｇｙＩＤと第２の物理制御チャネルに関する設定が対応する場合には、端末装置は、第２の物理制御チャネルのモニタリングをＤＲＸに関する第２の設定に基づくＤＲＸサイクルを用いて行なってもよい。
【００７７】
例えば、第１のｎｕｍｅｒｏｌｏｇｙＩＤとショートＤＲＸに関する第３の設定が対応し、第１のｎｕｍｅｒｏｌｏｇｙＩＤと第１の物理制御チャネルに関する設定が対応する場合には、端末装置は、第１の物理制御チャネルのモニタリングをショートＤＲＸに関する第３の設定に基づくショートＤＲＸサイクルを用いて行なってもよい。また、第２のｎｕｍｅｒｏｌｏｇｙＩＤとショートＤＲＸに関する第４の設定が対応し、第２のｎｕｍｅｒｏｌｏｇｙＩＤと第２の物理制御チャネルに関する設定が対応する場合には、端末装置は、第２の物理制御チャネルのモニタリングをショートＤＲＸに関する第４の設定に基づくショートＤＲＸサイクルを用いて行なってもよい。ここで、端末装置は、ＭＡＣエンティティにおいて、ロングＭＡＣコントロールエレメントが受信されたとすれば、第１の物理制御チャネルのモニタリングおよび／または第２の物理制御チャネルのモニタリングをロングＤＲＸに関する設定に基づくロングＤＲＸサイクルを用いて行なってもよい。また、端末装置は、ＭＡＣエンティティにおいて、第１のｎｕｍｅｒｏｌｏｇｙＩＤに対するロングＭＡＣコントロールエレメントが受信されたとすれば、端末装置は、第１の物理制御チャネルのモニタリングをロングＤＲＸに関する設定に基づくロングＤＲＸサイクルを用いて行なってもよい。また、端末装置は、ＭＡＣエンティティにおいて、第２のｎｕｍｅｒｏｌｏｇｙＩＤに対するロングＭＡＣコントロールエレメントが受信されたとすれば、端末装置は、第２の物理制御チャネルのモニタリングをロングＤＲＸに関する設定に基づくロングＤＲＸサイクルを用いて行なってもよい。つまり、特定のＭＡＣコントロールエレメントが受信されたとすれば、端末装置は、特定のｎｕｍｅｒｏｌｏｇｙに対するＤＲＸサイクルを用いて物理制御チャネルのモニタリングを行なってもよい。
【００７８】
上述したパラメータおよびタイマーの単位は、プライマリセルに対しては、サブフレームまたはスロットであってもよい。また、上述したパラメータおよびタイマーの単位は、セカンダリセルに対しては、サブフレームまたはスロットであってもよい。上述したパラメータおよびタイマーの単位は、ｎｕｍｅｒｏｌｏｇｙに対して、サブフレームまたはスロットまたはミニスロットであってもよい。例えば、ミニスロットが設定される場合には、上述したパラメータおよびタイマーの単位は、ミニスロットであってもよい。上述したパラメータおよびタイマーの単位は、モニタリングを行なう物理制御チャネルに関する設定に対応する場合には、サブフレームまたはスロットまたはミニスロットであってもよい。例えば、ミニスロットがモニタリングを行なう物理制御チャネルに対して設定される場合には、上述したパラメータおよびタイマーの単位は、ミニスロットであってもよい。また、ロングＤＲＸサイクルに関するパラメータの単位は、サブフレームであってもよい。また、異なるｎｕｍｅｒｏｌｏｇｙに対して共通に適用されるＤＲＸオペレーションまたはＤＲＸサイクルに関するパラメータの単位は、サブフレームであってもよい。
【００７９】
複数のサービングセルに対して、少なくともモニタリングする物理制御チャネルに対するｎｕｍｅｒｏｌｏｇｙが異なるとすれば、アクティブタイムの期間は、物理制御チャネルに対するｎｕｍｅｒｏｌｏｇｙに基づいて決定されてもよい。ただし、ｏｎ  Ｄｕｒａｔｉｏｎに遷移するタイミングは、複数のサービングセル間で同じタイミングであってもよい。
【００８０】
なお、異なるｎｕｍｅｒｏｌｏｇｙの物理制御チャネルのモニタリングにおいて、共通のＤＲＸオペレーションを行なうかどうかは、特定のＭＡＣコントロールエレメント（例えば、第１のＤＲＸコマンドＭＡＣコントロールエレメント）に基づいて決定されてもよい。また、共通のＤＲＸオペレーションを行なっている時に、個別のＤＲＸオペレーションを行なうかどうかは、特定のＭＡＣコントロールエレメント（例えば、第２のＤＲＸコマンドＭＡＣコントロールエレメント）に基づいて決定されてもよい。
【００８１】
端末装置がモニタリングを行なう、物理制御チャネルおよび／またはコントロールサブバンドに関する設定には、下記パラメータが少なくとも１つは含まれてもよい。物理制御チャネルおよび／またはコントロールサブバンドに関する設定はサービングセル毎に設定されてもよい。
（Ｃ０）モニタリングする帯域幅またはリソースブロックの数
（Ｃ１）周波数ポジションまたは周波数オフセット
（Ｃ２）送信タイプまたはマッピングタイプ（例えば、局所配置か分散配置か）
（Ｃ３）スクランブリングＩＤ
（Ｃ４）スタートシンボル
（Ｃ５）複数設定される場合には、識別するための設定ＩＤ
（Ｃ６）設定される場合には、周波数ホッピングパターン
（Ｃ７）設定される場合には、繰り返し送信回数
（Ｃ８）設定される場合には、ｎｕｍｅｒｏｌｏｇｙに関するパラメータ
（Ｃ９）設定される場合には、ビームに関するパラメータ
物理制御チャネルおよび／またはコントロールサブバンドに関する設定は、目的に応じて個別に設定されてもよい。例えば、ページング情報を含む物理共用チャネルのスケジューリングに用いられる物理制御チャネルおよび／またはコントロールサブバンドに関する第１の設定とシステム情報を含む物理共用チャネルのスケジューリングに用いられる物理制御チャネルおよび／またはコントロールサブバンドに関する第２の設定は、個別に設定されてもよい。また、報知情報を含む物理共用チャネルのスケジューリングに用いられる物理制御チャネルおよび／またはコントロールサブバンドに関する第３の設定は、第１の設定や第２の設定とは分けられて設定されてもよい。これらの設定は、上位層の信号を介して、設定されてもよい。
【００８２】
ｎｕｍｅｒｏｌｏｇｙに対応するＤＲＸに関する設定が設定される場合、且つ、複数の物理制御チャネルに関する設定が設定される場合、アクティブタイム中に、第１の物理制御チャネルのモニタリングから第２の物理制御チャネルへのモニタリングに切り替えることを指示された場合には、第２の物理制御チャネルへのモニタリングは、第２の物理制御チャネルに対するｎｕｍｅｒｏｌｏｇｙに対応するＤＲＸオペレーションに基づいて行なわれてもよい。第２の物理制御チャネルへのモニタリングは、再度変更の指示があるまで、または、種々のタイマーが満了し、ｏｆｆ  Ｄｕｒａｔｉｏｎになるまで行なわれてもよい。再びｏｎ  Ｄｕｒａｔｉｏｎになった時には、端末装置は、第１の物理制御チャネルをモニタしてもよい。再びｏｎ  Ｄｕｒａｔｉｏｎになった時には、端末装置は、ｏｆｆ  Ｄｕｒａｔｉｏｎになる前にモニタしていた物理制御チャネルに関する設定に基づいて、物理制御チャネルをモニタしてもよい。
【００８３】
ＤＲＸに対応する物理制御チャネルに関する設定が設定された場合、少なくともｏｎ  Ｄｕｒａｔｉｏｎになった時には、端末装置は、ＤＲＸと対応付けられた物理制御チャネルに関する設定に基づいて物理制御チャネルのモニタリングを行なってもよい。
【００８４】
ショートＤＲＸに関する設定に対して、ｎｕｍｅｒｏｌｏｇｙが対応付けられる場合には、ショートＤＲＸに関する設定には、ｏｎＤｕｒａｔｉｏｎＴｉｍｅｒ、ｄｒｘ−ＩｎａｃｔｉｖｉｔｙＴｉｍｅｒ、ｄｒｘ−ＲｅｔｒａｎｓｍｉｓｓｉｏｎＴｉｍｅｒ、ｄｒｘ−ＵＬＲｅｔｒａｎｓｍｉｓｓｉｏｎＴｉｍｅｒのうち、少なくとも１つまたは全部が含まれてもよい。ショートＤＲＸサイクルに基づいて、物理制御チャネルをモニタする場合には、ショートＤＲＸに関する設定に含まれるｏｎＤｕｒａｔｉｏｎＴｉｍｅｒに基づいて物理制御チャネルのモニタリングが行なわれてもよい。
【００８５】
下りリンク送信に対するビームが設定される場合、端末装置は、アクティブタイム中に、ビームに関する測定を行なってもよい。また、端末装置は、測定結果が所定の値よりも低い場合には、測定結果を報告してもよい。また、端末装置は、他のビームに関する測定結果を報告してもよい。また、基地局装置および／またはサービングセルは、下りリンク送信に対するビームを変更したことを示す情報を上位層の信号またはＤＣＩを介して端末装置に送信してもよい。また、端末装置は、下りリンク送信に対するビームの変更に伴い、端末装置における受信ビームを変更してもよい。つまり、基地局装置の送信ビームと端末装置の受信ビームは対応付けられてもよい。
【００８６】
ＤＲＸが設定された場合に、物理制御チャネルに対して、ガードバンドを含んでモニタするかどうかは、報知情報、システム情報、ページング情報、または、ＤＣＩによって示されてもよい。なお、ガードバンドを含むリソースブロックまたは周波数リソースをフラクショナルリソースブロック、または、フラクショナル周波数リソースと称してもよい。
【００８７】
端末装置は、少なくとも１つのサービングセルにおいて、複数のｎｕｍｅｒｏｌｏｇｙに対する物理制御チャネルのモニタリングを同時に行なう場合には、複数のｎｕｍｅｒｏｌｏｇｙの同時受信に関する能力をサポートしている。基地局装置は、その能力情報に基づいて、サポートしている端末装置に対して、複数のＤＲＸに関する設定を設定してもよい。
【００８８】
ＤＲＸは、物理制御チャネルのモニタリングの他に、ＲＲＭ測定やＣＳＩ測定、時間周波数同期捕捉のために個別に設定されてもよい。
【００８９】
図３は、本実施形態に係るＤＲＸサイクルの一例である。図３の（ａ１）から（ａ３）は、ＤＲＸに関する設定はそれぞれ同じであるが、ｎｕｍｅｒｏｌｏｇｙに基づくサブフレームまたはスロットまたはミニスロットの長さが異なることによって、ｎｕｍｅｒｏｌｏｇｙに対応するＤＲＸサイクルが異なる例である。図３の（ｂ１）から（ｂ３）は、ＤＲＸサイクルは、ｎｕｍｅｒｏｌｏｇｙに因らず、固定の長さが適用される例である。図３の（ｂ１）から（ｂ３）は、ｎｕｍｅｒｏｌｏｇｙに基づいて、物理制御チャネルをモニタリングするサブフレームまたはスロットまたはミニスロットの数が異なる。図３の（ｃ）は、（ａ１）から（ａ３）、（ｂ１）から（ｂ３）とは個別のＤＲＸに関する設定が設定される例である。複数のＤＲＸサイクルが設定される場合には、端末装置は、基地局装置からの指示に基づいて、ＤＲＸサイクル１からＤＲＸサイクル２、ＤＲＸサイクル２からＤＲＸサイクル３のように切り替えて物理制御チャネルのモニタリングを行なってもよい。ＤＲＸサイクル１からＤＲＸサイクル３に対応してモニタリングされる物理制御チャネルおよび／またはコントロールサブバンドに関する設定は個別に設定されてもよい。つまり、ＤＲＸサイクル１からＤＲＸサイクル３において、端末装置は、異なる物理制御チャネルおよび／またはコントロールサブバンドをモニタしてもよい。ＤＲＸサイクルに関する切り替え情報は、上位層の信号を介して送信されてもよい。ここで、上位層の信号は、報知情報を含んでよい。また、上位層の信号はシステム情報を含んでよい。また、上位層の信号は、ページング情報を含んでよい。また、上位層の信号は、ユーザデータおよび／または制御データを含んでもよい。また、ＤＲＸサイクルに関する切り替え情報は、物理層の信号および／またはＤＣＩを介して送信されてもよい。ここで、物理層の信号は、報知情報を送信するために用いられてもよい。また、物理層の信号は、システム情報を送信するために用いられてもよい。また、物理層の信号は、ページング情報を送信するために用いられてもよい。また、物理層の信号は、ユーザデータおよび／または制御データを送信するために用いられてもよい。
【００９０】
このように、ＤＲＸに関する設定および／またはモニタリングする物理制御チャネルに関する設定および／またはサービングセルに関する設定および／またはオペレーティングバンド（キャリア周波数）に対して、複数のｎｕｍｅｒｏｌｏｇｙが設定可能な場合に、ｎｕｍｅｒｏｌｏｇｙに対応したＤＲＸを行なうことができる。
【００９１】
図１は、本実施形態に係る基地局装置２のブロック構成の一例を示す概略図である。基地局装置２は、上位層（上位層制御情報通知部）５０１、制御部（基地局制御部）５０２、コードワード生成部５０３、下りリンクサブフレーム生成部５０４、ＯＦＤＭ信号送信部（下りリンク送信部）５０６、送信アンテナ（基地局送信アンテナ）５０７、受信アンテナ（基地局受信アンテナ）５０８、ＳＣ−ＦＤＭＡ信号受信部（チャネル状態測定部および／またはＣＳＩ受信部）５０９、上りリンクサブフレーム処理部５１０を有する。下りリンクサブフレーム生成部５０４は、下りリンク参照信号生成部５０５を有する。また、上りリンクサブフレーム処理部５１０は、上りリンク制御情報抽出部（ＣＳＩ取得部／ＨＡＲＱ−ＡＣＫ取得部／ＳＲ取得部）５１１を有する。なお、ＳＣ−ＦＤＭＡ信号受信部５０９は、受信信号やＣＣＡ（Ｃｌｅａｒ  Ｃｈａｎｎｅｌ  Ａｓｓｅｓｓｍｅｎｔ）、干渉雑音電力の測定部も兼ねている。なお、ＳＣ−ＦＤＭＡ信号受信部５０９は、端末装置がＯＦＤＭ信号の送信をサポートしている場合には、ＯＦＤＭ信号受信部であってもよいし、ＯＦＤＭ信号受信部を含んでもよい。なお、図示しないが、基地局装置には、ＴＡ（Ｔｉｍｉｎｇ  Ａｄｖａｎｃｅ）コマンドを送信する送信部が含まれてもよい。
【００９２】
下りリンクサブフレーム生成部５０４は、下りリンクＴＴＩ（Ｔｒａｎｓｍｉｔ  Ｔｉｍｅ  Ｉｎｔｅｒｖａｌ）生成部であってもよいし、下りリンクＴＴＩ生成部を含んでもよい。また、下りリンクＴＴＩ生成部は、下りリンクＴＴＩを構成する物理チャネルおよび／または物理信号の生成を行なってもよい。つまり、下りリンクＴＴＩ生成部を含む下りリンクサブフレーム生成部５０４は、送信する物理チャネルおよび／または物理信号に対する系列を生成してもよい。また、下りリンクＴＴＩ生成部を含む下りリンクサブフレーム生成部５０４は、生成した系列を物理リソースへマッピングしてもよい。なお、上りリンクについても同様であってもよい。下りリンクサブフレーム生成部５０４は、下りリンクスロット生成部を含んでもよい。つまり、下りリンクサブフレーム生成部５０４は、下りリンクスロットで送信される物理チャネルおよび／または物理信号の生成を行なってもよい。また、下りリンクサブフレーム生成部５０４は、下りリンクミニスロット生成部を含んでもよい。つまり、下りリンクサブフレーム生成部５０４は、下りリンクミニスロットで送信される物理チャネルおよび／または物理信号の生成を行なってもよい。
【００９３】
上りリンクサブフレーム処理部５１０は、上りリンクスロット処理部を含んでもよい。つまり、上りリンクサブフレーム処理部５１０は、上りリンクスロットで送信された物理チャネルおよび／または物理信号の処理を行なってもよい。また、上りリンクサブフレーム処理部５１０は、上りリンクミニスロット処理部を含んでもよい。つまり、下上りリンクサブフレーム処理部５１０は、上りリンクミニスロットで送信される物理チャネルおよび／または物理信号の処理を行なってもよい。
【００９４】
図２は、本実施形態に係る端末装置１のブロック構成の一例を示す概略図である。端末装置１は、受信アンテナ（端末受信アンテナ）６０１、ＯＦＤＭ信号受信部（下りリンク受信部）６０２、下りリンクサブフレーム処理部６０３、トランスポートブロック抽出部（データ抽出部）６０５、制御部（端末制御部）６０６、上位層（上位層制御情報取得部）６０７、チャネル状態測定部（ＣＳＩ生成部）６０８、上りリンクサブフレーム生成部６０９、ＳＣ−ＦＤＭＡ信号送信部（ＵＣＩ送信部）６１１および６１２、送信アンテナ（端末送信アンテナ）６１３および６１４を有する。下りリンクサブフレーム処理部６０３は、下りリンク参照信号抽出部６０４を有する。なお、下りリンクサブフレーム処理部６０３は、下りリンクＴＴＩ処理部であってもよい。また、下りリンクサブフレーム処理部６０３は、下りリンクスロット処理部を含んでもよい。つまり、下りリンクサブフレーム処理部６０３は、下りリンクスロットで送信される物理チャネルおよび／または物理信号の処理を行なってもよい。また、下りリンクサブフレーム処理部６０３は、下りリンクミニスロット処理部を含んでもよい。つまり、下りリンクサブフレーム処理部６０３は、下りリンクミニスロットで送信される物理チャネルおよび／または物理信号の処理を行なってもよい。また、上りリンクサブフレーム生成部６０９は、上りリンク制御情報生成部（ＵＣＩ生成部）６１０を有する。なお、ＯＦＤＭ信号受信部６０２は、受信信号やＣＣＡ、干渉雑音電力の測定部も兼ねている。つまり、ＯＦＤＭ信号受信部６０２において、ＲＲＭ測定が行なわれてもよい。端末装置がＯＦＤＭ信号の送信をサポートしている場合には、ＳＣ−ＦＤＭＡ信号送信部は、ＯＦＤＭ信号送信部であってもよいし、ＯＦＤＭ信号送信部を含んでもよい。
【００９５】
上りリンクサブフレーム生成部６０９は、上りリンクＴＴＩ生成部であってもよいし、上りリンクＴＴＩ生成部を含んでもよい。上りリンクＴＴＩ生成部は、上りリンクＴＴＩを構成する物理チャネルおよび／または物理信号の生成を行なってもよい。つまり、上りリンクＴＴＩ生成部を含む上りリンクサブフレーム生成部６０９は、送信する物理チャネルおよび／または物理信号に対する系列を生成してもよい。また、上りリンクＴＴＩ生成部を含む上りリンクサブフレーム生成部６０９は、生成した系列を物理リソースへマッピングしてもよい。また、上りリンクサブフレーム生成部６０９は、上りリンクスロット生成部を含んでもよい。つまり、上りリンクサブフレーム生成部６０９は、上りリンクスロットで送信される物理チャネルおよび／または物理信号の生成を行なってもよい。また、上りリンクサブフレーム生成部６０９は、上りリンクミニスロット生成部を含んでもよい。つまり、上りリンクサブフレーム生成部６０９は、上りリンクミニスロットで送信される物理チャネルおよび／または物理信号の生成を行なってもよい。また、端末装置１は、上りリンク信号の送信電力を制御／セットするための電力制御部を含んでもよい。なお、図示しないが、端末装置１には、端末装置１の受信と送信間の時間差を測定するための測定部が含まれてもよい。また、端末装置１には、時間差の測定結果を報告する送信部が含まれてもよい。
【００９６】
図１と図２のそれぞれにおいて、上位層は、ＭＡＣ（Ｍｅｄｉｕｍ  Ａｃｃｅｓｓ  Ｃｏｎｔｒｏｌ）層やＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層、ＲＲＣ（Ｒａｄｉｏ  Ｒｅｓｏｕｒｃｅ  Ｃｏｎｔｒｏｌ）層を含んでもよい。なお、上位層は上位層処理部と称されてもよい。
【００９７】
ＲＬＣ層は、上位層（例えば、ＰＤＣＰ層やＲＲＣ層）へＴＭ（Ｔｒａｎｓｐａｒｅｎｔ  Ｍｏｄｅ）データ伝送、ＵＭ（Ｕｎａｃｋｎｏｗｌｅｄｇｅｄ  Ｍｏｄｅ）データ伝送、上位層のＰＤＵ（Ｐａｃｋｅｔ  Ｄａｔａ  Ｕｎｉｔ）の伝送が成功したことを示すインディケーションを含むＡＭ（Ａｃｋｎｏｗｌｅｄｇｅｄ  Ｍｏｄｅ）データ伝送を行なう。また、下位層へはデータ伝送と、送信機会において送信されたＲＬＣ  ＰＤＵの全サイズとともに、送信機会の通知を行なう。
【００９８】
ＲＬＣ層は、上位層ＰＤＵの伝送に関する機能、（ＡＭデータ伝送に対してだけ）ＡＲＱ（Ａｕｔｏｍａｔｉｃ  Ｒｅｐｅａｔ  ｒｅＱｕｅｓｔ）を介したエラー補正に関する機能、（ＵＭとＡＭデータ伝送に対してだけ）ＲＬＣ  ＳＤＵ（Ｓｅｒｖｉｃｅ  Ｄａｔａ  Ｕｎｉｔ）の結合／分割／再構築に関する機能、（ＡＭデータ伝送に対して）ＲＬＣデータＰＤＵの再分割に関する機能、（ＡＭデータ伝送に対してだけ）ＲＬＣデータＰＤＵの並び替えに関する機能、（ＵＭとＡＭデータ伝送に対してだけ）重複検出に関する機能、（ＵＭとＡＭデータ伝送に対してだけ）ＲＬＣ  ＳＤＵの破棄に関する機能、ＲＬＣの再確立に関する機能、（ＡＭデータ伝送に対してだけ）プロトコルエラー検出に関する機能をサポートしている。
【００９９】
まず、図１および図２を用いて、下りリンクデータの送受信の流れについて説明する。基地局装置２において、制御部５０２は、下りリンクにおける変調方式および符号化率などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いる情報（リダンダンシーバージョン、ＨＡＲＱプロセス番号、ＮＤＩ（Ｎｅｗ  Ｄａｔａ  Ｉｎｄｉｃａｔｏｒ））を保持し、これらに基づいてコードワード生成部５０３や下りリンクサブフレーム生成部５０４を制御する。上位層５０１から送られてくる下りリンクデータ（下りリンクトランスポートブロック、下りリンク共用データ、下りリンク共用トランスポートブロックとも称す）は、コードワード生成部５０３において、制御部５０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部５０４では、制御部５０２の指示により、下りリンクサブフレーム／下りリンクスロット／下りリンクミニスロットが生成される。まず、コードワード生成部５０３において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレーム／下りリンクスロット／下りリンクミニスロットが生成される。このとき、上位層５０１から送られてくる送信データ系列は、上位層における制御情報（例えば専用（個別）ＲＲＣシグナリング）である上位層制御情報を含む。また、下りリンク参照信号生成部５０５では、下りリンク参照信号が生成される。下りリンクサブフレーム生成部５０４は、制御部５０２の指示により、下りリンク参照信号を下りリンクサブフレーム／下りリンクスロット／下りリンクミニスロット内のＲＥにマッピングする。下りリンクサブフレーム生成部５０４で生成された下りリンクサブフレーム／下りリンクスロット／下りリンクミニスロットは、ＯＦＤＭ信号送信部５０６においてＯＦＤＭ信号に変調され、送信アンテナ５０７を介して送信される。なお、ここではＯＦＤＭ信号送信部５０６と送信アンテナ５０７を一つずつ有する構成を例示しているが、複数のアンテナポートを用いて下りリンクサブフレームを送信する場合は、ＯＦＤＭ信号送信部５０６と送信アンテナ５０７とを複数有する構成であってもよい。また、下りリンクサブフレーム生成部５０４は、物理制御チャネル／物理共用チャネルなどの物理層の下りリンク制御チャネルを生成して下りリンクサブフレーム内の下りリンクスロットおよび／または下りリンクミニスロットのＲＥにマッピングする能力も有することができる。複数の基地局装置は、それぞれ個別の下りリンクサブフレームに含まれる下りリンクスロットまたは下りリンクミニスロットを送信する。
【０１００】
端末装置１では、受信アンテナ６０１を介して、ＯＦＤＭ信号受信部６０２においてＯＦＤＭ信号が受信され、ＯＦＤＭ復調処理が施される。
【０１０１】
下りリンクサブフレーム処理部６０３は、まず、物理制御チャネルなどの物理層の下りリンク制御チャネルを検出する。より具体的には、下りリンクサブフレーム処理部６０３は、物理制御チャネル／物理共用チャネルが割り当てられる領域において物理制御チャネルが送信されたものとして復号し、予め付加されているＣＲＣ（Cyclic Redundancy Check）ビットを確認する（ブラインド復号）。すなわち、下りリンクサブフレーム処理部６
０３は、物理制御チャネル／物理共用チャネルをモニタリングする。ＣＲＣビットが予め基地局装置から割り当てられたＩＤ（Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、ＳＰＳ−Ｃ−ＲＮＴＩ（Ｓｅｍｉ−Ｐｅｒｓｉｓｔｅｎｔ  Ｓｃｈｅｄｕｌｉｎｇ−Ｃ−ＲＮＴＩ）など１つの端末に対して１つ割り当てられる端末固有識別子（ＵＥＩＤ）、あるいはＴｅｍｐｏｒａｌｙ  Ｃ−ＲＮＴＩ）と一致する場合、下りリンクサブフレーム処理部６０３は、物理制御チャネル／物理共用チャネルを検出できたものと認識し、検出した物理制御チャネルに含まれるＤＣＩを用いて物理共用チャネルを取り出す。
【０１０２】
制御部６０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部６０３やトランスポートブロック抽出部６０５などを制御する。より具体的には、制御部６０６は、下りリンクサブフレーム生成部５０４におけるＲＥマッピング処理や変調処理に対応するＲＥデマッピング処理や復調処理などを行なうように制御する。受信した下りリンクサブフレームから取り出されたＰＤＳＣＨは、トランスポートブロック抽出部６０５に送られる。また、下りリンクサブフレーム処理部６０３内の下りリンク参照信号抽出部６０４は、下りリンクサブフレーム／下りリンクスロット／下りリンクミニスロットからＤＬＲＳを取り出す。
【０１０３】
トランスポートブロック抽出部６０５では、コードワード生成部５０３におけるレートマッチング処理、誤り訂正符号化に対応するレートマッチング処理、誤り訂正復号化などが施され、トランスポートブロックが抽出され、上位層６０７に送られる。トランスポートブロックには、上位層の制御情報が含まれており、上位層６０７は上位層の制御情報に基づいて制御部６０６に必要な物理層パラメータを知らせる。なお、複数の基地局装置２は、それぞれ個別の下りリンクサブフレーム／下りリンクスロット／下りリンクミニスロットを送信しており、端末装置１ではこれらを受信するため、上述の処理を複数の基地局装置２毎の下りリンクサブフレーム／下りリンクスロット／下りリンクミニスロットに対して、それぞれ行なってもよい。このとき、端末装置１は複数の下りリンクサブフレーム／下りリンクスロット／下りリンクミニスロットが複数の基地局装置２から送信されていると認識してもよいし、認識しなくてもよい。認識しない場合、端末装置１は、単に複数のセルにおいて複数の下りリンクサブフレーム／下りリンクスロット／下りリンクミニスロットが送信されていると認識するだけでもよい。また、トランスポートブロック抽出部６０５では、トランスポートブロックが正しく検出できたか否かを判定し、判定結果は制御部６０６に送られる。
【０１０４】
ここで、トランスポートブロック抽出部６０５には、バッファ部（ソフトバッファ部）を含んでもよい。バッファ部において、抽出したトランスポートブロックの情報を一時的に記憶することができる。例えば、トランスポートブロック抽出部６０５は、同じトランスポートブロック（再送されたトランスポートブロック）を受信した場合、このトランスポートブロックに対するデータの復号が成功していないとすれば、バッファ部に一時的に記憶したこのトランスポートブロックに対するデータと新たに受信したデータを結合（合成）し、結合したデータを復号しようと試みる。バッファ部は、一時的に記憶したデータが必要なくなれば、もしくは、所定の条件を満たせば、そのデータをフラッシュする。フラッシュするデータの条件は、データに対応するトランスポートブロックの種類によって異なる。バッファ部は、データの種類毎に、用意されてもよい。例えば、バッファ部として、メッセージ３バッファやＨＡＲＱバッファが用意されてもよいし、Ｌ１／Ｌ２／Ｌ３などレイヤ毎に用意されてもよい。なお、情報／データをフラッシュするとは、情報やデータが格納されたバッファをフラッシュすることを含む。
【０１０５】
次に、上りリンク信号の送受信の流れについて説明する。端末装置１では制御部６０６の指示の下で、下りリンク参照信号抽出部６０４で抽出された下りリンク参照信号がチャネル状態測定部６０８に送られ、チャネル状態測定部６０８においてチャネル状態および／または干渉が測定され、さらに測定されたチャネル状態および／または干渉に基づいて、ＣＳＩが算出される。また、チャネル状態測定部６０８において、基地局装置２からのビーム強度の測定、または、ビームに対応するリソースの検出を行なってもよい。また、制御部６０６は、トランスポートブロックが正しく検出できたか否かの判定結果に基づいて、上りリンク制御情報生成部６１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置１は、これらの処理を複数のセル毎の下りリンクサブフレーム／下りリンクスロット／下りリンクミニスロットに対して、それぞれ行なう。上りリンク制御情報生成部６１０では、算出されたＣＳＩおよび／またはＨＡＲＱ−ＡＣＫを含むＰＵＣＣＨまたはＰＵＣＣＨに相当する制御チャネル／共用チャネルが生成される。上りリンクサブフレーム生成部６０９では、上位層６０７から送られる上りリンクデータを含む物理共用チャネルと、上りリンク制御情報生成部６１０において生成される物理制御チャネルとが上りリンクサブフレーム内の上りリンクスロットまたは上りリンクミニスロットのＲＢにマッピングされ、上りリンクスロットまたは上りリンクミニスロットが生成される。
【０１０６】
受信アンテナ５０８を介して、ＳＣ−ＦＤＭＡ信号受信部５０９においてＳＣ−ＦＤＭＡ信号が受信され、ＳＣ−ＦＤＭＡ復調処理が施される。上りリンクサブフレーム処理部５１０では、制御部５０２の指示により、物理制御チャネルがマッピングされたＲＢを抽出し、上りリンク制御情報抽出部５１１において物理制御チャネルに含まれるＣＳＩを抽出する。抽出されたＣＳＩは制御部５０２に送られる。ＣＳＩは、制御部５０２による下りリンク送信パラメータ（ＭＣＳ、下りリンクリソース割り当て、ＨＡＲＱ、送信ビーム、受信ビームなど）の制御に用いられる。なお、ＳＣ−ＦＤＭＡ信号受信部は、ＯＦＤＭ信号受信部であってもよい。また、ＳＣ−ＦＤＭＡ信号受信部は、ＯＦＤＭ信号受信部を含んでもよい。
【０１０７】
なお、上述した実施形態における端末装置および／または基地局装置の一部をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。
【０１０８】
なお、「コンピュータシステム」とは、端末装置または基地局装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことを含んでもよい。
【０１０９】
さらに、「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また、「コンピュータ読み取り可能な記録媒体」とは、外部メモリであってもよい。また、上記プログラムは、前述した機能の一部を実現するためのものであってもよく、さらに前述した機能をコンピュータシステムにすでに記録されているプログラムとの組み合わせで実現できるものであってもよい。
【０１１０】
また、上述した実施形態における基地局装置は、複数の装置から構成される集合体（装置グループ）として実現することもできる。装置グループを構成する装置の各々は、上述した実施形態に関わる基地局装置の各機能または各機能ブロックの一部、または、全部を備えてもよい。装置グループとして、基地局装置の一通りの各機能または各機能ブロックを有していればよい。また、上述した実施形態に関わる端末装置は、集合体としての基地局装置と通信することも可能である。
【０１１１】
また、上述した実施形態における基地局装置は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ Ａｃｃｅｓｓ  Ｎｅｔｗｏｒｋ
）および／またはＧＵＴＲＡＮであってもよい。また、上述した実施形態における基地局装置２は、ｅＮＢおよび／またはｇＮＢに対する上位ノードの機能の一部または全部を有してもよい。
【０１１２】
また、上述した実施形態における端末装置、基地局装置の一部、または、全部を典型的には集積回路であるＬＳＩとして実現してもよいし、チップセットとして実現してもよい。端末装置、基地局装置の各機能ブロックは個別にチップ化してもよいし、一部、又は全部を集積してチップ化してもよい。また、集積回路化の手法はＬＳＩに限らず専用回路、または、汎用プロセッサで実現してもよい。また、半導体技術の進歩によりＬＳＩに代替する集積回路化の技術が出現した場合、当該技術による集積回路を用いることも可能である。
【０１１３】
また、上述した実施形態では、端末装置もしくは通信装置の一例としてセルラー移動局装置（携帯電話、携帯端末）を記載したが、本願発明は、これに限定されるものではなく、屋内外に設置される据え置き型、または非可動型の電子機器、たとえば、ＡＶ機器、キッチン機器（例えば、冷蔵庫や電子レンジなど）、掃除・洗濯機器、空調機器、オフィス機器、自動販売機、カーナビゲーションなどの車載搭載機、その他生活機器などの端末装置もしくは通信装置にも適用できる。
【０１１４】
以上のことから、本発明は以下の特徴を有する。
【０１１５】
（１）本発明の一態様による端末装置は、上位層の信号を介して、ＤＲＸ（Ｄｉｓｃｏｎｔｉｎｕｏｕｓ  Ｒｅｃｅｐｔｉｏｎ）に関する第１の設定を示す第１の情報を受信する受信部と、ＤＲＸオペレーションを行なう上位層処理部と、を備え、前記上位層処理部は、モニタリングする物理制御チャネルに対するｎｕｍｅｒｏｌｏｇｙに基づいて、ＤＲＸサイクルを決定する。
【０１１６】
（２）本発明の一態様による端末装置は、上記の端末装置であって、前記ＤＲＸサイクルは、スロット長に基づき、前記スロット長は、シンボル長およびＣＰ（Ｃｙｃｌｉｃ  Ｐｒｅｆｉｘ）長、および、１つのスロットに割り当てられるシンボルの数に基づき、前記シンボル長および前記ＣＰ（Ｃｙｃｌｉｃ  Ｐｒｅｆｉｘ）長、および、前記１つのスロットに割り当てられるシンボルの数は、前記ｎｕｍｅｒｏｌｏｇｙに対応する。
【０１１７】
（３）本発明の一態様による端末装置は、上記の端末装置であって、前記ｎｕｍｅｒｏｌｏｇｙは、前記物理制御チャネルに関する第２の設定を示す第２の情報に基づく。
【０１１８】
（４）本発明の一態様による端末装置は、上記の端末装置であって、前記ｎｕｍｅｒｏｌｏｇｙは、前記物理制御チャネルをモニタするサービングセルに関する設定に基づく。
【０１１９】
（５）本発明の一態様による端末装置は、上記の端末装置であって、前記ｎｕｍｅｒｏｌｏｇｙは、前記物理制御チャネルをモニタするサービングセルのキャリア周波数に対応する。
【０１２０】
（６）本発明の一態様による方法は、上位層の信号を介して、ＤＲＸ（Ｄｉｓｃｏｎｔｉｎｕｏｕｓ  Ｒｅｃｅｐｔｉｏｎ）に関する第１の設定を示す第１の情報を受信するステップと、ＤＲＸオペレーションを行なうステップと、モニタリングする物理制御チャネルに対するｎｕｍｅｒｏｌｏｇｙに基づいて、ＤＲＸサイクルを決定するステップと、を含む。
【０１２１】
（７）本発明の一態様による端末装置は、上位層の信号を介して、ロングＤＲＸ（Ｄｉｓｃｏｎｔｉｎｕｏｕｓ  Ｒｅｃｅｐｔｉｏｎ）サイクルに関する第１の設定およびショートＤＲＸサイクルに関する第２の設定を含む第１の情報を受信する受信部と、ＤＲＸオペレーションを行なう上位層処理部と、を備え、前記上位層処理部は、前記ロングＤＲＸサイクルを、前記第１の設定に基づいて決定し、前記ショートＤＲＸサイクルを、前記第２の設定に基づいて決定する。
【０１２２】
（８）本発明の一態様による端末装置は、上記の端末装置であって、前記第１の設定および前記第２の設定にはそれぞれ、ｎｕｍｅｒｏｌｏｇｙまたはスロット長に関するパラメータが含まれる。
【０１２３】
（９）本発明の一態様による端末装置は、上記の端末装置であって、前記受信部は、あるサービングセルに対して、ＤＲＸオペレーションの際に、前記ロングＤＲＸサイクル、または、前記ショートＤＲＸを示す第２の情報を受信し、前記第２の情報に基づいて、物理制御チャネルをモニタする。
【０１２４】
（１０）本発明の一態様による端末装置は、上記の端末装置であって、前記上位層処理部は、モニタリングする物理制御チャネルのｎｕｍｅｒｏｌｏｇｙに基づいて、前記ロングＤＲＸサイクルを用いるか、前記ショートＤＲＸサイクルを用いるかを決定する。
【０１２５】
（１１）本発明の一態様による端末装置は、上記の端末装置であって、前記上位層処理部は、サービングセルのｎｕｍｅｒｏｌｏｇｙに基づいて、前記ロングＤＲＸサイクルを用いるか、前記ショートＤＲＸサイクルを用いるかを決定する。
【０１２６】
（１２）本発明の一態様による方法は、上位層の信号を介して、ロングＤＲＸ（Ｄｉｓｃｏｎｔｉｎｕｏｕｓ  Ｒｅｃｅｐｔｉｏｎ）サイクルに関する第１の設定およびショートＤＲＸサイクルに関する第２の設定を含む第１の情報を受信するステップと、ＤＲＸオペレーションを行なうステップと、前記ロングＤＲＸサイクルを、前記第１の設定に基づいて決定するステップと、前記ショートＤＲＸサイクルを、前記第２の設定に基づいて決定するステップと、を含む。
【０１２７】
（１３）本発明の一態様による端末装置は、上位層の信号を介して、ショートＤＲＸ（Ｄｉｓｃｏｎｔｉｎｕｏｕｓ  Ｒｅｃｅｐｔｉｏｎ）に関する設定を受信する受信部と、前記設定に基づいて、物理制御チャネルをモニタするショートＤＲＸサイクルを決定する上位層処理部と、を備え、前記上位層処理部は、第１のｎｕｍｅｒｏｌｏｇｙに対応するショートＤＲＸに関する第１の設定および第２のｎｕｍｅｒｏｌｏｇｙに対応するショートＤＲＸに関する第２の設定が設定されたとすれば、前記第１のｎｕｍｅｒｏｌｏｇｙに対応する第１の物理制御チャネルのモニタリングに対して、前記第１の設定に基づくショートＤＲＸサイクルを適用し、前記第２のｎｕｍｅｒｏｌｏｇｙに対応する第２の物理制御チャネルのモニタリングに対して、前記第２の設定に基づくショートＤＲＸサイクルを適用する。
【０１２８】
（１４）本発明の一態様による端末装置は、上記の端末装置であって、前記上位層処理部は、第１のＭＡＣ（Ｍｅｄｉｕｍ  Ａｃｃｅｓｓ  Ｃｏｎｔｒｏｌ）コントロールエレメントが受信されるとすれば、前記第１の物理制御チャネルおよび前記第２の物理制御チャネルのモニタリングに対して同じＤＲＸサイクルを適用する。
【０１２９】
（１５）本発明の一態様による方法は、上位層の信号を介して、ショートＤＲＸ（Ｄｉｓｃｏｎｔｉｎｕｏｕｓ  Ｒｅｃｅｐｔｉｏｎ）に関する設定を受信するステップと、前記設定に基づいて、物理制御チャネルをモニタするショートＤＲＸサイクルを決定するステップと、第１のｎｕｍｅｒｏｌｏｇｙに対応するショートＤＲＸに関する第１の設定および第２のｎｕｍｅｒｏｌｏｇｙに対応するショートＤＲＸに関する第２の設定が設定されたとすれば、前記第１のｎｕｍｅｒｏｌｏｇｙに対応する第１の物理制御チャネルのモニタリングに対して、前記第１の設定に基づくショートＤＲＸサイクルを適用するステップと、前記第２のｎｕｍｅｒｏｌｏｇｙに対応する第２の物理制御チャネルのモニタリングに対して、前記第２の設定に基づくショートＤＲＸサイクルを適用するステップと、を含む。
【０１３０】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上述した実施形態に記載された要素であり、同様の効果を奏する要素同士を置換した構成も含まれる。
【符号の説明】
【０１３１】
５０１  上位層
５０２  制御部
５０３  コードワード生成部
５０４  下りリンクサブフレーム生成部
５０５  下りリンク参照信号生成部
５０６  ＯＦＤＭ信号送信部
５０７  送信アンテナ
５０８  受信アンテナ
５０９  ＳＣ−ＦＤＭＡ信号受信部
５１０  上りリンクサブフレーム処理部
５１１  上りリンク制御情報抽出部
６０１  受信アンテナ
６０２  ＯＦＤＭ信号受信部
６０３  下りリンクサブフレーム処理部
６０４  下りリンク参照信号抽出部
６０５  トランスポートブロック抽出部
６０６  制御部
６０７  上位層
６０８  チャネル状態測定部
６０９  上りリンクサブフレーム生成部
６１０  上りリンク制御情報生成部
６１１、６１２  ＳＣ−ＦＤＭＡ信号送信部
６１３、６１４  送信アンテナ
【図１】
2020010074.tif 000003
【図２】
2020010074.tif 000004
【図３】
2020010074.tif 000005